(57)【特許請求の範囲】
【請求項１】
移動通信システムにおける端末の方法において、
第１チャネル状態情報基準信号（ｃｈａｎｎｅｌ  ｓｔａｔｅ  ｉｎｆｏｒｍａｔｉｏｎ ｒｅｆｅｒｅｎｃｅ  ｓｉｇｎａｌ：ＣＳＩ−ＲＳ）に関連する第１情報と、資源ブロック（ｒｅｓｏｕｒｃｅ  ｂｌｏｃｋ）内の資源要素のミューティング（ｍｕｔｉｎｇ）位置、ミューティングサブフレーム間隔（ｉｎｔｅｒｖａｌ）、サブフレームオフセット（ｏｆｆｓｅｔ）を指示する第２情報とを受信する段階と、
前記ミューティングサブフレーム間隔と前記サブフレームオフセットに基づいて、資源要素がミュート（ｍｕｔｅ）される第１サブフレームを決定する段階と、
前記決定された第１サブフレームで、前記ミューティング位置に基づいて第１信号を受信する段階と、
を含むことを特徴とする方法。
【請求項２】
前記第１情報は、ＣＳＩ−ＲＳ伝送間隔、ＣＳＩ−ＲＳ伝送サブフレームオフセット（ｏｆｆｓｅｔ）、ＣＳＩ−ＲＳ位置、及びＣＳＩ−ＲＳアンテナポートの個数を指示することを特徴とする請求項１に記載の方法。
【請求項３】
前記ＣＳＩ−ＲＳ伝送間隔と前記ＣＳＩ−ＲＳ伝送サブフレームオフセットに基づいて、前記第１ＣＳＩ−ＲＳが伝送される第２サブフレームを決定する段階と、
前記第１ＣＳＩ−ＲＳが伝送される前記第２サブフレームで、前記ＣＳＩ−ＲＳ位置及び前記ＣＳＩ−ＲＳアンテナポートの個数に基づいて、第２信号を受信する段階と、
をさらに含むことを特徴とする請求項２に記載の方法。
【請求項４】
第２ＣＳＩ−ＲＳに関連する第３情報を受信する段階をさらに含むことを特徴とする請求項１に記載の方法。
【請求項５】
前記第１情報は、第１ＣＳＩ−ＲＳ伝送間隔、第１ＣＳＩ−ＲＳ位置、及び第１ＣＳＩ−ＲＳアンテナポートの個数を指示し、前記第３情報は、第２ＣＳＩ−ＲＳ伝送間隔（ｉｎｔｅｒｖａｌ）、第２ＣＳＩ−ＲＳ位置、及び第２ＣＳＩ−ＲＳアンテナポートの個数を指示することを特徴とする請求項４に記載の方法。
【請求項６】
前記第１ＣＳＩ−ＲＳ伝送間隔及び前記第２ＣＳＩ−ＲＳ伝送間隔に基づいて、前記第１ＣＳＩ−ＲＳと前記第２ＣＳＩ−ＲＳのうち少なくとも一つが伝送されるサブフレームを決定する段階と、
前記第１ＣＳＩ−ＲＳが伝送される前記サブフレームで、前記第１ＣＳＩ−ＲＳ位置及び前記第１ＣＳＩ−ＲＳアンテナポートの個数に基づいて、第２信号を受信し、前記第２ＣＳＩ−ＲＳが伝送される前記サブフレームで、前記第２ＣＳＩ−ＲＳ位置及び前記第２ＣＳＩ−ＲＳアンテナポートの個数に基づいて、第３信号を受信する段階と、
を含むことを特徴とする請求項５に記載の方法。
【請求項７】
移動通信システムにおける基地局の方法において、
第１チャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ：ＣＳＩ−ＲＳ)に関連する第１情報と、資源ブロック（ｒｅｓｏｕｒｃｅ  ｂｌｏｃｋ）内の資源要素（ｒｅｓｏｕｒｃｅ  ｅｌｅｍｅｎｔ）のミューティング位置、ミューティングサブフレーム間隔、サブフレームオフセットを指示する第２情報とを生成する段階と、
前記第１情報と前記第２情報を伝送する段階と、
前記ミューティングサブフレーム間隔と前記サブフレームオフセットに基づいて、資源要素がミュートされる第１サブフレームで、前記ミューティング位置に基づいて、第１信号を伝送する段階と、
を含むことを特徴とする方法。
【請求項８】
前記第１情報は、ＣＳＩ−ＲＳ伝送間隔、ＣＳＩ−ＲＳ伝送サブフレームオフセット（ｏｆｆｓｅｔ）、ＣＳＩ−ＲＳ位置、及びＣＳＩ−ＲＳアンテナポートの個数を指示することを特徴とする請求項７に記載の方法。
【請求項９】
前記ＣＳＩ−ＲＳ伝送間隔と前記ＣＳＩ−ＲＳ伝送サブフレームオフセットに基づいて、前記第１ＣＳＩ−ＲＳが伝送される第２サブフレームで、前記ＣＳＩ−ＲＳ位置と前記ＣＳＩ−ＲＳアンテナポートの個数に基づいて、第２信号を伝送する段階をさらに含むことを特徴とする請求項８に記載の方法。
【請求項１０】
第２ＣＳＩ−ＲＳに関連する第３情報を生成して伝送する段階をさらに含むことを特徴とする請求項７に記載の方法。
【請求項１１】
前記第１情報は、第１ＣＳＩ−ＲＳ伝送間隔、ＣＳＩ−ＲＳ位置、及び第１ＣＳＩ−ＲＳアンテナポートの個数を指示し、前記第３情報は、第２ＣＳＩ−ＲＳ伝送間隔、第２ＣＳＩ−ＲＳ位置、及び第２ＣＳＩ−ＲＳアンテナポートの個数を指示することを特徴とする請求項１０に記載の方法。
【請求項１２】
前記第１ＣＳＩ−ＲＳが伝送されるサブフレームで、前記第１ＣＳＩ−ＲＳ位置及び前記第１ＣＳＩ−ＲＳアンテナポートの数に基づいて、第２信号を伝送し、前記第２ＣＳＩ−ＲＳが伝送される前記サブフレームで、前記第２ＣＳＩ−ＲＳ位置及び前記ＣＳＩ−ＲＳアンテナポートの個数に基づいて、第３信号を伝送する段階をさらに含むことを特徴とする請求項１１に記載の方法。
【請求項１３】
端末において、
第１チャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ：ＣＳＩ−ＲＳ)に関連する第１情報と、資源ブロック（ｒｅｓｏｕｒｃｅ  ｂｌｏｃｋ）内の資源要素のミューティング位置、ミューティングサブフレーム間隔（ｉｎｔｅｒｖａｌ）、サブフレームオフセット（ｏｆｆｓｅｔ）を指示する第２情報とを受信する送受信部と、
前記ミューティングサブフレーム間隔と前記サブフレームオフセットに基づいて、資源要素がミュートされる第１サブフレームを決定する制御部と、を含み、
前記送受信部は、前記決定された第１サブフレームで前記ミューティング位置に基づいて、第１信号を受信することを特徴とする端末。
【請求項１４】
前記第１情報は、ＣＳＩ−ＲＳ伝送間隔、ＣＳＩ−ＲＳ伝送サブフレームオフセット（ｏｆｆｓｅｔ）、ＣＳＩ−ＲＳ位置、及びＣＳＩ−ＲＳアンテナポートの個数を指示することを特徴とする請求項１３に記載の端末。
【請求項１５】
前記制御部は、前記ＣＳＩ−ＲＳ伝送間隔と前記ＣＳＩ−ＲＳ伝送サブフレームオフセットに基づいて、前記第１ＣＳＩ−ＲＳが伝送される第２サブフレームを決定し、
前記送受信部は、前記第１ＣＳＩ−ＲＳが伝送される前記第２サブフレームで、前記ＣＳＩ−ＲＳ位置及び前記ＣＳＩ−ＲＳアンテナポートの個数に基づいて、第２信号を受信することを特徴とする請求項１４に記載の端末。
【請求項１６】
前記送受信部は、第２ＣＳＩ−ＲＳに関連する第３情報を受信することを特徴とする請求項１３に記載の端末。
【請求項１７】
前記第１情報は、第１ＣＳＩ−ＲＳ伝送間隔、第１ＣＳＩ−ＲＳ位置、及び第１ＣＳＩ−ＲＳアンテナポートの個数を指示し、前記第３情報は、第２ＣＳＩ−ＲＳ伝送間隔（ｉｎｔｅｒｖａｌ）、第２ＣＳＩ−ＲＳ位置、及び第２ＣＳＩ−ＲＳアンテナポートの個数を指示することを特徴とする請求項１６に記載の端末。
【請求項１８】
前記制御部は、前記第１ＣＳＩ−ＲＳ伝送間隔及び前記第２ＣＳＩ−ＲＳ伝送間隔に基づいて、前記第１ＣＳＩ−ＲＳと前記第２ＣＳＩ−ＲＳのうち少なくとも一つが伝送されるサブフレームを決定し、
前記送受信部は、前記第１ＣＳＩ−ＲＳが伝送される前記サブフレームで、前記第１ＣＳＩ−ＲＳ位置及び前記第１ＣＳＩ−ＲＳアンテナポートの個数に基づいて、第２信号を受信し、前記第２ＣＳＩ−ＲＳが伝送される前記サブフレームで、前記第２ＣＳＩ−ＲＳ位置及び前記第２ＣＳＩ−ＲＳアンテナポートの個数に基づいて、第３信号を受信することを特徴とする請求項１７に記載の端末。
【請求項１９】
基地局において、
第１チャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ：ＣＳＩ−ＲＳ)に関連する第１情報と、資源ブロック（ｒｅｓｏｕｒｃｅ  ｂｌｏｃｋ）内の資源要素（ｒｅｓｏｕｒｃｅ  ｅｌｅｍｅｎｔ）のミューティング位置、ミューティングサブフレーム間隔、サブフレームオフセットを指示する第２情報とを生成する制御部と、
前記第１情報と前記第２情報を伝送し、前記ミューティングサブフレーム間隔と前記サブフレームオフセットに基づいて、資源要素がミュートされる第１サブフレームで、前記ミューティング位置に基づいて、第１信号を伝送する伝送部と、
を含むことを特徴とする基地局。
【請求項２０】
前記第１情報は、ＣＳＩ−ＲＳ伝送間隔、ＣＳＩ−ＲＳ伝送サブフレームオフセット（ｏｆｆｓｅｔ）、ＣＳＩ−ＲＳ位置、及びＣＳＩ−ＲＳアンテナポートの個数を指示することを特徴とする請求項１９に記載の基地局。
【請求項２１】
前記伝送部は、前記ＣＳＩ−ＲＳ伝送間隔と前記ＣＳＩ−ＲＳ伝送サブフレームオフセットに基づいて、前記第１ＣＳＩ−ＲＳが伝送される第２サブフレームで、前記ＣＳＩ−ＲＳ位置と前記ＣＳＩ−ＲＳアンテナポートの個数に基づいて、第２信号を伝送することを特徴とする請求項２０に記載の基地局。
【請求項２２】
前記制御部は、第２ＣＳＩ−ＲＳに関連する第３情報を生成して伝送することを特徴とする請求項１９に記載の基地局。
【請求項２３】
前記第１情報は、第１ＣＳＩ−ＲＳ伝送間隔、ＣＳＩ−ＲＳ位置、及び第１ＣＳＩ−ＲＳアンテナポートの個数を指示し、前記第３情報は、第２ＣＳＩ−ＲＳ伝送間隔、第２ＣＳＩ−ＲＳ位置、及び第２ＣＳＩ−ＲＳアンテナポートの個数を指示することを特徴とする請求項２２に記載の基地局。
【請求項２４】
前記伝送部は、前記第１ＣＳＩ−ＲＳが伝送されるサブフレームで、前記第１ＣＳＩ−ＲＳ位置及び前記第１ＣＳＩ−ＲＳアンテナポートの数に基づいて、第２信号を伝送し、前記第２ＣＳＩ−ＲＳが伝送される前記サブフレームで、前記第２ＣＳＩ−ＲＳ位置及び前記ＣＳＩ−ＲＳアンテナポートの個数に基づいて、第３信号を伝送することを特徴とする請求項２３に記載の基地局。
【発明の詳細な説明】
【技術分野】
【０００１】
本発明は無線通信システムに係り、特に、多重接続方式（ｍｕｌｔｉｐｌｅ ａｃｃｅｓｓ ｓｃｈｅｍｅ）に基づく無線通信システムにおいてチャンネル状態情報基準信号（ＣＳＩ−ＲＳ）を処理する方法に関する。
【背景技術】
【０００２】
３世代（３Ｇ）進化無線移動通信システム標準において、基準信号（ｒｅｆｅｒｅｎｃｅ ｓｉｇｎａｌ）は、共通基準信号（Ｃｏｍｍｏｎ Ｒｅｆｅｒｅｎｃｅ Ｓｉｇｎａｌ：ＣＲＳ）及び専用の基準信号（Ｄｅｄｉｃａｔｅｄ Ｒｅｆｅｒｅｎｃｅ Ｓｉｇｎａｌ：ＤＲＳ）の２種類に分けられる。ＣＲＳは、３ＧＰＰＬＴＥシステムにおいてはセル固有の基準信号または共通基準信号（Ｃｏｍｍｏｎ ＲＳ）とも呼ばれ、当該基地局に対応するセルの全ての端末によってモニターリングされる。多重アンテナを用いた伝送の場合に、チャンネル推定（ｃｈａｎｎｅｌ ｅｓｔｉｍａｔｉｏｎ）及び測定（ｍｅａｓｕｒｅｍｅｎｔ）のために、基準信号パターン（ｒｅｆｅｒｅｎｃｅ  ｓｉｇｎａｌ  Ｐａｔｔｅｒｎ）はアンテナポート別に区分できるように定義されている。ＬＴＥシステムにおいては、最大４個のアンテナポートまで支援する。ＤＲＳは、共通基準信号とは別途に伝送される基準信号であり、基地局が指定した特定の端末にのみ伝送される。３ＧＰＰＬＴＥ−Ａシステムにおいては、ＵＥ固有の基準信号、ＤＲＳまたはＤＭＲＳ（Ｄｅｍｏｄｕｌａｔｉｏｎ Ｒｅｆｅｒｅｎｃｅ Ｓｉｇｎａｌ）とも呼ばれ、一般に、基地局が非コードブック基盤のプリコーディング （ｎｏｎ−ｃｏｄｅｂｏｏｋ ｂａｓｅｄ ｐｒｅｃｏｄｉｎｇ）を用いたデータトラフィックチャンネル伝送を行うときに、これを支援するために用いられる。
【０００３】
ＬＴＥシステムのアップグレードされたシステムであるＬＴＥ−Ａシステムの場合、上記のＣＲＳ及びＤＲＳに加えて、８個までのレイヤーに対するチャンネル推定を支援するために、復調基準信号（ＤｅＭｏｄｕｌａｔｉｏｎ Ｒｅｆｅｒｅｎｃｅ Ｓｉｇｎａｌ：ＤＭ−ＲＳ）が伝送される。
【０００４】
図１は、関連技術によるＬＴＥシステムにおいてＣＲＳを伝送するためのラジオフレーム（ｒａｄｉｏ ｆｒａｍｅ）、サブフレーム（ｓｕｂｆｒａｍｅ）及び物理資源ブロック（Ｐｈｙｓｉｃａｌ Ｒｅｓｏｕｒｃｅ Ｂｌｏｃｋ：ＰＲＢ）の構造を示す図である。
【０００５】
前記図１を参照すると、一つのラジオフレームは１０個のサブフレームから構成され、一つのサブフレームは１ｍｓｅｃ中に伝送される。すなわち、一つのラジオフレームは１０ｍｓｅｃ中に伝送され、前記図１に示すように、１０個のサブフレームからなる。図１中、参照番号１１０はラジオフレームを構成する１０個のサブフレームのうちの一つである。各サブフレーム中に、ｅＮＢ（ｅｖｏｌｖｅｄ Ｎｏｄｅ Ｂ）はシステム帯域幅（ｓｙｓｔｅｍ ｂａｎｄｗｉｄｔｈ）区間においてＯＦＤＭＡにて伝送を行う。一つのサブフレームは、周波数領域において複数の物理資源ブロック（ＰＲＢ）からなる。そして、一つのＰＲＢは１２個の副搬送波（ｓｕｂｃａｒｒｉｅｒ）からなる。また、一つのサブフレーム中に伝送される副搬送波は周波数領域において等間隔にて位置する。図１中、参照番号１２０はシステム帯域幅（ｓｙｓｔｅｍ ｂａｎｄｗｉｄｔｈ）を構成する複数のＰＲＢのうちの一つである。図１に示すＬＴＥ信号構造において伝送されるＰＲＢの数はシステム帯域幅によって決定される。
【０００６】
前記参照番号１２０のＰＲＢは、参照番号１３０のような構造の時間及び周波数資源の組み合わせからなる。図１の１３０のように、各ＰＲＢは周波数領域における１２個の副搬送波と、時間区間における１４個のＯＦＤＭシンボル区間に相当する周波数及び時間資源と、からなる。ＰＲＢにおいて、一つのＯＦＤＭシンボル区間内における一つの副搬送波をリソースエレメント（ＲＥ）であるとすると、一つのＲＥ当たりに一つのデータシンボルまたは基準信号シンボルを伝送することができる。前記ＰＲＢ１３０は合計で１２個の副搬送波と１４個のＯＦＤＭシンボル区間とからなる。すなわち、図１における１３０のＰＲＢは合計で１６８個のＲＥから構成される。前記ＰＲＢ１３０において、最初の３つのＯＦＤＭシンボル区間に相当する領域は制御領域（ｃｏｎｔｒｏｌ ｒｅｇｉｏｎ）であり、ｅＮＢがトラフィックチャンネル（ｔｒａｆｆｉｃ ｃｈａｎｎｅｌ）を受信するのに必要な制御情報をＵＥに受け渡すための制御チャンネル（ｃｏｎｔｒｏｌ ｃｈａｎｎｅｌ）として用いられる。前記制御領域は、最初の３つのＯＦＤＭシンボル区間に相当する領域であるが、ｅＮＢの判断によって、１つまたは２つのＯＦＤＭシンボル区間からなることもある。
【０００７】
図１における参照番号１４０は、トラフィックチャンネルが伝送されるのに用いられるデータＲＥである。また、参照番号１５０は、ＵＥがチャンネル推定及び測定（ｃｈａｎｎｅｌ ｅｓｔｉｍａｔｉｏｎ ａｎｄ ｍｅａｓｕｒｅｍｅｎｔ）を行うのに用いるＣＲＳを伝送するのに用いられるＣＲＳＲＥである。データＲＥとＣＲＳＲＥの位置は、ｅＮＢとＵＥが共通的に知っている位置において伝送されるため、ＵＥがＰＲＢを受信したときに、どの位置にＣＲＳが伝送され、どの位置にトラフィックチャンネルが伝送されるかを判断することができる。以下の説明において、全てのインデックシングは０番から始まると説明する。一例として、図１においてＰＲＢを構成している１４個のＯＦＤＭシンボルが０から１３番までにインデックシングされていることが分かる。
【０００８】
図２は、関連技術によるＬＴＥシステムにおいてＵＥがチャンネル品質を測定してｅＮＢに通報する例を示す図である。
【０００９】
前記図２を参照すると、ＵＥは複数のＰＲＢから構成されているサブフレーム２３０においてシステム帯域幅内に存在するＰＲＢの全てに対してチャンネル品質を測定する。各ＰＲＢのチャンネル品質を測定するのにＵＥが用いる信号は、参照番号２２０の基地局が伝送するＣＲＳである。ＣＲＳは、全てのＰＲＢにおいて一定の伝送電力にて送信されるため、ＵＥは、各ＰＲＢにおいて受信されたＣＲＳの受信強度を比較することにより、どのＰＲＢが相対的に優れたチャンネル品質を有するかを判断することができる。また、受信されたＣＲＳの絶対的な受信強度を基準として特定のＰＲＢにおいてどのようなデータ伝送率を支援できるかを判断することができる。このとき、判断されたチャンネル品質に関する情報は、ＬＴＥシステムにおいて定義しているチャンネルフィードバック情報の形でマッピングさせた後、図２の参照番号２４０の上りリンク制御チャンネルを用いてｅＮＢに通報する。図２において、ＵＥが２４０のように伝送したチャンネルフィードバック情報はｅＮＢに受信されてサブフレーム２５１、２５２、２５３、２５４、２５５の下りリンク伝送を行うのに用いられる。ｅＮＢは、ＵＥが伝送したチャンネルフィードバック情報を基準としてＵＥが支援できるデータ伝送率（ｄａｔａ ｒａｔｅ）、好みのプレコーディング、好みのＰＲＢなどに関する情報を得ることができ、これを活用して下りリンクスケジューリングを行い、適応的変調及び符号化（Ａｄａｐｔｉｖｅ Ｍｏｄｕｌａｔｉｏｎ ＆ Ｃｏｄｉｎｇ：ＡＭＣ）を行う。
【００１０】
図２において、ｅＮＢは、端末から受信したチャンネルフィードバック情報２４０を新たなチャンネルフィードバック情報２６０を受信するまで用いる。また、図２においては、一つのＵＥだけがチャンネルフィードバック情報を伝送することが示してあるが、実際のシステムにおいては、一般的に、複数のＵＥが同時にチャンネルフィードバック情報を伝送するように設計されている。
【００１１】
しかしながら、上記の方法は種々の問題点を抱えている。例えば、前記ＬＴＥシステムにおいて、ＵＥは、ｅＮＢが伝送するＣＲＳを受信してチャンネル品質を測定する。図２に示すように、ＣＲＳを測定してチャンネル品質を測定する場合に、ｅＮＢがＭＩＭＯ（Ｍｕｌｔｉｐｌｅ−ｉｎｐｕｔ Ｍｕｌｔｉｐｌｅ Ｏｕｔｐｕｔ）技術を用いて伝送できるレイヤーの数がＣＲＳのアンテナポートの数によって制限される。ＬＴＥシステムの場合に、標準において最大４個までのアンテナポートを支援できるようにする。このため、４個よりも多数のＣＲＳアンテナポートを支援することができ、結果的に、ｅＮＢのＭＩＭＯ伝送は最大４個のレイヤーのみからなる。
ＣＲＳを用いてＵＥのチャンネル推定及びチャンネル測定を支援する場合の他の問題点は、ｅＮＢがＣＲＳをいつも伝送しなければならないという点である。このため、ＬＴＥが支援できる最大４個よりも多くのアンテナポートを支援するためには、追加されるアンテナポートのためのＣＲＳが追加的に伝送されなければならない。このように追加的なＣＲＳを伝送することは、限られた無線資源をチャンネル推定及びチャンネル測定にのみ集中するという点で非効率的である。
【先行技術文献】
【非特許文献】
【００１２】
【非特許文献１】Nokia, Nokia Siemens Networks，Intra-cell CSI-RS design aspects[online]，3GPP TSG-RAN WG1#59 R1-094647，インターネット＜URL:http://www.3gpp.org/ftp/tsg_ran/WG1_RL1/TSGR1_59/Docs/R1-094647.zip＞，２００９年１１月１３日
【非特許文献２】LG Electronics，Further Details on CSI-RS Design for LTE-Advanced[online]，3GPP TSG-RAN WG1#58b R1-094171，インターネット＜URL:http://www.3gpp.org/ftp/tsg_ran/WG1_RL1/TSGR1_58b/Docs/R1-094171.zip＞，２００９年１０月１６日
【発明の概要】
【発明が解決しようとする課題】
【００１３】
本発明は、上述した問題点及び／又は不利な効果を取り扱い、少なくとも以下の有利な効果を提供するためのものである。このため、本発明は、ＬＴＥ−Ａシステムにおいて、ＵＥが効果的にチャンネル測定を行うと共に、ｅＮＢの無線資源を効率よく用いるＣＳＩ−ＲＳの伝送方法を提供する。
【００１４】
また、本発明は、一つのｅＮＢの観点において効率よい無線資源の運用が可能であり、複数のｅＮＢの観点においてそれぞれのｅＮＢを構成するセルが伝送するＣＳＩ−ＲＳを時間及び周波数空間において分離することのできるＣＳＩ−ＲＳの伝送方法を提供する。
【課題を解決するための手段】
【００１５】
本発明によれば、直交分割多重接続（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ；ＯＦＤＭＡ）無線通信システムにおいてＣＳＩ−ＲＳを伝送する方法が提供される。本発明のＣＳＩ−ＲＳの伝送方法は、サブフレームのＰＲＢインデックスに応じて対応するＣＳＩ−ＲＳパターンタイプを決定する過程と、前記ＣＳＩ−ＲＳを伝送するサブフレームであれば、前記決定されたＣＳＩ−ＲＳパターンタイプによって前記ＰＲＢの各第１乃至第ＮのＯＦＤＭシンボルにそれぞれ対応する第１乃至第ＮのアンテナポートのＣＳＩ−ＲＳを割り当てる過程と、前記第１乃至第ＮのアンテナポートのＣＳＩ−ＲＳが割り当てられたＰＲＢを含むサブフレームを端末に伝送する過程と、を含み、前記第１乃至第ＮのＣＳＩ−ＲＳパターンタイプは、前記第１乃至第Ｎのアンテナポート別のＣＳＩ−ＲＳがＰＲＢの第１乃至第ＮのＯＦＤＭシンボルに互いに異なるように交差されて割り当てられることを特徴とする。
【００１６】
また、本発明による直交分割多重接続無線通信システムにおいてＣＳＩ−ＲＳを伝送する方法は、ＣＯＭＰセットに含まれているセルを判断し、ＣＯＭＰＣＳＩ−ＲＳの伝送に関する制御情報を共有する過程と、サブフレームの伝送時にＣＳＩ−ＲＳを伝送するサブフレームであるか否かを判断する過程と、ＣＳＩ−ＲＳを伝送するサブフレームであれば、ＣＯＭＰ用のＣＳＩ−ＲＳを伝送するサブフレームであるか否かを検査し、ＣＯＭＰ用のＣＳＩ−ＲＳを伝送するサブフレームであれば、前記ＣＯＭＰ用のＣＳＩ−ＲＳを伝送し、そうでなければ、Ｎｏｎ−ＣＯＭＰ用のＣＳＩ−ＲＳを伝送する過程と、を含み、前記ＣｏＭＰ用のＣＳＩ−ＲＳは、端末において複数セルの下りリンクチャンネルを測定できるように複数のセルがＵＥに伝送するＣＳＩ−ＲＳであり、前記ＣＯＭＰセットは、ＣＯＭＰ用のＣＳＩ−ＲＳを伝送するために協力する複数のセル集合を意味することを特徴とする。
【００１７】
本発明の他の実施形態による直交分割多重接続無線通信システムにおいてＣＳＩ−ＲＳを伝送する方法は、隣り合うセルに対するＣＳＩ−ＲＳパターンとＣＳＩ−ＲＳアンテナポート数の情報を共有し、サブフレームデータの伝送時に前記ＣＳＩ−ＲＳパターンを分析してＣＳＩ−ＲＳを伝送するサブフレームであるか否かを判断する過程と、前記ＣＳＩ−ＲＳの伝送時点であれば、ＣＳＩ−ＲＳパターンに応じてＣＳＩ−ＲＳを含むサブフレームデータを伝送する過程と、隣り合うセルのＣＳＩ−ＲＳの伝送時点であれば、隣り合うセルのＣＳＩ−ＲＳパターンのＣＳＩ−ＲＳアンテナポート数に対応する数のＲＥをミュートしたサブフレームデータを伝送する過程と、を含むことを特徴とする。
【００１８】
本発明の他の側面、有利な効果及び顕著な特徴は、後述する詳細な説明と図面、実施形態などから当業者にとって自明である。
【発明の効果】
【００１９】
本発明の実施形態によるＣＳＩ−ＲＳの処理方法は、ｅＮＢが伝送するアンテナポート別のＣＳＩ−ＲＳを互いに異なるＰＲＢにおいて交差させて伝送することから、ｅＮＢの全てのアンテナポートの伝送電力を効率よく活用することができる。また、本発明の実施形態によるＣＳＩ−ＲＳパターンは、セル間のＣＳＩ−ＲＳが伝送される位置が重なることを最大限に防ぐために、それぞれ互いに異なるセルに時間及び周波数上において互いに異なる資源を用いるように割り当てることから、信号の干渉を抑制することができ、Ｎｏｎ−Ｃｏｍｐ用のＣＳＩ−ＲＳまたはＣｏｍｐ用のＣＳＩ−ＲＳの伝送を設定された時間において効率よく伝送することができ、複数の基地局においてＣＳＩ−ＲＳの伝送時に隣り合う基地局において伝送される領域の区間をミュートさせて端末が効率よくチャンネル測定を行うことができる。
【００２０】
前記内容と本発明の特定の実施形態の特徴及び有利な効果は、後述する詳細な説明及び図面から当業者にとって自明である。
図面の全般にわたって同じ参照番号は同じ又は類似の構成要素、特徴、構造を説明するのに用いられている。
【図面の簡単な説明】
【００２１】
【図１】関連技術によるＬＴＥシステムにおいて、共通基準信号（ＣＲＳ）のためのラジオフレーム及び物理資源ブロック（ＰＲＢ：Ｐｈｙｓｉｃａｌ Ｒｅｓｏｕｒｃｅ Ｂｌｏｃｋ）の構造を示す図である。
【図２】関連技術によるＬＴＥシステムにおいて、ＵＥ（Ｕｓｅｒ Ｅｑｕｉｐｍｅｎｔ）がチャンネル品質を測定してｅＮＢ（ｅｖｏｌｖｅｄ Ｎｏｄｅ Ｂ）に通報する例を示す図である。
【図３】本発明の一実施形態によるＬＴＥ−ＡシステムにおけるｅＮＢのチャンネル状態情報基準信号（Ｃｈａｎｎｅｌ Ｓｔａｔｅ Ｉｎｆｏｒｍａｔｉｏｎ Ｒｅｆｅｒｅｎｃｅ Ｓｉｇｎａｌ；ＣＳＩ−ＲＳ）の伝送を示す図である。
【図４】本発明の一実施形態によるＣＳＩ−ＲＳを伝送するときに活用する時間及び周波数空間上の位置を説明するための図である。
【図５】本発明の一実施形態によるＬＴＥ−Ａシステムにおいて、ＣＳＩ−ＲＳの伝送のためのＲＥ（Ｒｅｓｏｕｒｃｅ Ｅｌｅｍｅｎｔ）が割り当てられたＰＲＢを示す図である。
【図６】本発明の他の実施形態によるＬＴＥ−Ａシステムにおいて、ＣＳＩ−ＲＳの伝送のためのＲＥ（Ｒｅｓｏｕｒｃｅ Ｅｌｅｍｅｎｔ）が割り当てられたＰＲＢを示す図である。
【図７】本発明の一実施形態による図６に示すように、ＣＳＩ−ＲＳパターンタイプＡとＣＳＩ−ＲＳパターンタイプＢに応じたシステム帯域内におけるＣＳＩ−ＲＳの伝送方法を示す図である。
【図８】本発明の一実施形態による４個のＣＳＩ−ＲＳパターンを有する互いに異なるＰＲＢにおけるアンテナポートのＣＳＩ−ＲＳの伝送方法を示す図である。
【図９】本発明の一実施形態による移動通信システムにおいて複数のセルに割り当てられるＣＳＩ−ＲＳパターンを示す図である。
【図１０】本発明の一実施形態による図９に定義されたように、複数のＣＳＩ−ＲＳパターンを適用した移動通信システムのセル配置の例を示す図である。
【図１１】本発明の他の実施形態による移動通信システムにおいて、複数のセルに割り当てられるＣＳＩ−ＲＳパターンを示す図である。
【図１２】本発明の実施形態により３つのＣＳＩ−ＲＳ領域が限定されたＰＲＢを示す図である。
【図１３】本発明の一実施形態によりＰＲＢ内に３つのそれぞれ異なる目的に用いるＣＳＩ−ＲＳの伝送領域を限定してこれをセルにそれぞれ割り当てることを示す図である。
【図１４Ａ】本発明の他の実施形態により複数のセルに互いに異なるＣＳＩ−ＲＳパターンを割り当てるためのＣＳＩ−ＲＳパターンを示す図である。
【図１４Ｂ】本発明の他の実施形態により複数のセルに互いに異なるＣＳＩ−ＲＳパターンを割り当てるためのＣＳＩ−ＲＳパターンを示す図である。
【図１４Ｃ】本発明の他の実施形態により複数のセルに互いに異なるＣＳＩ−ＲＳパターンを割り当てるためのＣＳＩ−ＲＳパターンを示す図である。
【図１５】本発明の一実施形態により複数のセルにおいて伝送されるＣＳＩ−ＲＳが互いに干渉を発生させないようにする別の方法を示す図である。
【図１６】本発明の一実施形態により同じサブフレームにおいて他のセルのＣＳＩ−ＲＳ伝送が行われても各セル別に互いに異なるＣＳＩ−ＲＳパターンを割り当てる方法を示す図である。
【図１７】本発明の一実施形態によりＣｏＭＰ（Ｃｏｏｒｄｉｎａｔｅｄ Ｍｕｌｔｉ Ｐｏｉｎｔ）用のＣＳＩ−ＲＳとＮｏｎ−ＣｏＭＰ用のＣＳＩ−ＲＳを一つのセルにおいて伝送する方法を示す図である。
【図１８】本発明の他の実施形態によりＣｏＭＰ用のＣＳＩ−ＲＳとＮｏｎ−ＣｏＭＰ用のＣＳＩ−ＲＳを一つのセルにおいて伝送する他の方法を示す図である。
【図１９】本発明の他の実施形態によりＣｏＭＰ用のＣＳＩ−ＲＳとＮｏｎ−ＣｏＭＰ用のＣＳＩ−ＲＳを伝送する方法を示す図である。
【図２０】本発明の一実施形態によりＣＳＩ−ＲＳを伝送する場合に、ミュートを適用する方法を示す図である。
【図２１】本発明の一実施形態により図１７のようにセル１においてＣＳＩ−ＲＳを伝送するときのセル２のミュート区間を示す図である。
【図２２】本発明の一実施形態により複数のセルにおいて伝送されるＣＳＩ−ＲＳが互いに異なるサブフレームオフセットにて伝送される場合に、本発明の実施形態によりミュートを行う例を示す図である。
【図２３】本発明の一実施形態によりＣＳＩ−ＲＳが一部のＰＲＢにおいてのみ伝送される場合に、２つのセルにおいてミュートを行うことを示す図である。
【図２４】本発明の一実施形態により、ＵＥが、図９または図１１に示すように、複数のＣＳＩ−ＲＳパターンが定義された移動通信システムにおいてＣＳＩ−ＲＳを受信する方法を示す図である。
【図２５】本発明の一実施形態により、ＵＥが、図９または図１１に示すように、複数のＣＳＩ−ＲＳパターンが定義された移動通信システムにおいてＣＳＩ−ＲＳを受信し、上述したミュートに対応する方法を示す図である。
【図２６】本発明の一実施形態により、ｅＮＢがＣＳＩ−ＲＳ伝送とミュートを適用する過程を示す図である。
【図２７】本発明の一実施形態により、ｅＮＢがＮｏｎ−ＣｏＭＰ用のＣＳＩ−ＲＳとＣｏＭＰ用のＣＳＩ−ＲＳを伝送する方法を示す図である。
【図２８】本発明の一実施形態により、Ｎｏｎ−ＣｏＭＰ用のＣＳＩ−ＲＳ及びＣｏＭＰ用のＣＳＩ−ＲＳをＵＥが受信する方法を示す図である。
【発明を実施するための形態】
【００２２】
以下、詳細な説明は、添付図面を参照して、本発明の請求項及びその均等物において定義される本発明の任意の実施形態の包括的な理解への一助となるために提供される。たとえ詳細な説明が理解への一助となるために様々で且つ特定の特定の細部事項を含むとしても、これらは単に例示として見なされるべきである。よって、本発明が属する技術分野において通常の知識を有する者は、本発明の文書に記載の実施形態を本発明の範囲と思想を逸脱しない範囲において種々に変形または変更可能であるということを認識するであろう。なお、公知の機能及び構成に対する説明は、明確性及び簡潔性のために省略する。
【００２３】
下記の詳細な説明及び請求項に用いられた用語と単語は辞書的な意味に限定されるものではなく、単に本発明の明確で且つ一貫的な理解への一助となるために発明者によって用いられている。よって、本発明が属する技術分野において通常の知識を有する者にとって下記の実施形態の詳細な説明は請求項及びその均等物によって限定するためのものではなく、単に例示に過ぎないということが明らかである。
【００２４】
単数の形である「一つ（英語のａ、ａｎに相当する）」及び「ｔｈｅ」は、もし文脈が別の方式で指示しなければ、複数の指示対象（ｐｌｕｒａｌ ｒｅｆｅｒｅｎｔｓ）を含むものと理解すべきである。よって、例えば、「一つの構成要素の表面」に対する言及は１以上の表面に対する言及を含む。
【００２５】
本発明の実施形態は、直交分割多重接続（ＯＦＤＭＡ）などの多重搬送波を用いる多重接続方式（ｍｕｌｔｉｐｌｅ ａｃｃｅｓｓ ｓｃｈｅｍｅ）を適用した無線移動通信システムにおいて、基地局がチャンネル状態情報基準信号（ＣＳＩ−ＲＳ）、チャンネル状態測定用の基準信号を伝送し、これを受信する端末がチャンネル品質無線チャンネル状態を測定することのできるＣＳＩ−ＲＳの送受信方法及びその効率的な運用方法に関するものである。すなわち、本発明の実施形態は、無線チャンネルのチャンネル品質を測定する基準信号の送受信方法と、これを複数のセルにおいて効率的に運用する方法に関するものである。
【００２６】
現在の移動通信システムは、初期の音声中心のサービスを提供していたことから脱皮して、データサービス及びマルチメディアサービスの提供のために、高速且つ高品質の無線パケットデータ通信システムに発展している。このために、３ＧＰＰ（３ｒｄ Ｇｅｎｅｒａｔｉｏｎ Ｐａｒｔｎｅｒｓｈｉｐ Ｐｒｏｊｅｃｔ）、３ＧＰＰ２、及びＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）などの種々の標準化団体において、多搬送波を用いた多重接続方式を適用した３世代進化移動通信システム標準を進めている。最近、３ＧＰＰのロングタームエボリューション（Ｌｏｎｇ Ｔｅｒｍ Ｅｖｏｌｕｔｉｏｎ：ＬＴＥ）、３ＧＰＰ２のウルトラ・モバイル・ブロードバンド（Ｕｌｔｒａ Ｍｏｂｉｌｅ Ｂｒｏａｄｂａｎｄ：ＵＭＢ）、そしてＩＥＥＥの８０２．１６ｍなど種々の移動通信標準が多搬送波を用いた多重接続方式を基に高速・高品質の無線パケットデータ伝送サービスを支援するために開発されている。
【００２７】
ＬＴＥ、ＵＭＢ、８０２．１６ｍなどの現存する３世代進化移動通信システムは、多搬送波多重接続（ｍｕｌｔｉ−ｃａｒｒｉｅｒ ｍｕｌｔｉｐｌｅ ａｃｃｅｓｓ）方式に基づくものであり、伝送効率を改善するために多入力、多出力（Ｍｕｌｔｉｐｌｅ Ｉｎｐｕｔ Ｍｕｌｔｉｐｌｅ Ｏｕｔｐｕｔ：ＭＩＭＯ、多重アンテナ）を適用し、ビームフォーミング、適応変調及び符号（Ａｄａｐｔｉｖｅ Ｍｏｄｕｌａｔｉｏｎ ａｎｄ Ｃｏｄｉｎｇ：ＡＭＣ）、適応変調及び符号）方法とチャンネル感応スケジューリング方法などの種々の技術を用いる特徴を有している。これらの種々の技術は、チャンネル品質などに応じて多数のアンテナから送信する伝送電力を集中したり、伝送するデータ量を調節し、良好なチャンネル品質を有するユーザーに選択的にデータを伝送するなどの方法により伝送効率を改善してシステム容量性能を改善する。これらの技法は、ほとんどが基地局（ｅＮＢ：ｅｖｏｌｖｅｄ Ｎｏｄｅ Ｂ、ＢＳ：Ｂａｓｅ Ｓｔａｔｉｏｎ）と端末（ＵＥ：Ｕｓｅｒ Ｅｑｕｉｐｍｅｎｔ、ＭＳ：Ｍｏｂｉｌｅ Ｓｔａｔｉｏｎ）との間のチャンネル状態情報を基に動作するため、ｅＮＢまたはＵＥは基地局と端末との間のチャンネル状態を測定する必要があり、このときに用いられるものがチャンネル状態指示基準信号（Ｃｈａｎｎｅｌ Ｓｔａｔｕｓ Ｉｎｄｉｃａｔｉｏｎ ｒｅｆｅｒｅｎｃｅ ｓｉｇｎａｌ：ＣＳＩ−ＲＳ）である。上述したｅＮＢは、所定の場所に位置している下りリンク送信及び上りリンク受信装置を意味し、一つのｅＮＢは複数のセルに対する送受信を行う。一つの移動通信システムにおいて複数のｅＮＢが地理的に分散されており、それぞれのｅＮＢは複数のセルに対する送受信を行う。
【００２８】
移動通信システムにおいて、時間、周波数及び電力資源は限定されている。このため、基準信号にさらに多くの資源を割り当てると、トラフィックチャンネル（データトラフィックチャンネル）の伝送に割り当て可能な資源が減ってしまう結果、伝送されるデータの量が減ることがある。この場合に、チャンネル測定及び推定の性能は改善されるものの、伝送されるデータの量が減るため、全体のシステム容量性能はむしろ低下することがある。このため、全体のシステム容量の側面において最適な性能を導き出すように基準信号のための資源とトラフィックチャンネル伝送のための信号の資源との適切な配分が必要である。
【００２９】
基準信号は、無線移動通信システムにおいてチャンネルの強度や歪み、干渉の強度、ガウス雑音などの基地局とユーザー（ＵＥ）との間のチャンネルの状態を測定して、受信したデータシンボルの復調及び復号化のために用いられる信号である。基準信号の他の用途は、無線チャンネル状態の測定である。受信器は、送信器が約束された伝送電力にて送信する基準信号が無線チャンネルを経て受信される受信強度を測定することにより、自分と送信器との間の無線チャンネルの状態を判断することができる。このようにして判断された無線チャンネルの状態は、受信器が送信器にどのようなデータ率を要請するかを判断するのに用いられる。
【００３０】
３ＧＰＰＬＴＥ（ＬＴＥ−Ａ）またはＩＥＥＥ８０２．１６ｍなどの最近の３世代進化無線移動通信システム標準においては、多重接続技法として、ＯＦＤＭ（ＯＦＤＭＡ）（ｏｒｔｈｏｇｏｎａｌ ｆｒｅｑｕｅｎｃｙ ｄｉｖｉｓｉｏｎ ｍｕｌｔｉｐｌｅｘｉｎｇ）ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ））などの多重副搬送波を用いた多重接続技法を主として採択している。前記多重副搬送波を用いた多重接続技法を適用した無線移動通信システムの場合、基準信号を時間及び周波数上においていくつの時間シンボル及び副搬送波に位置するかによってチャンネル推定及び測定性能において相違点が発生する。だけではなく、チャンネル推定及び測定性能は基準信号にどれだけの電力が割り当てられたかによっても影響を受ける。このため、さらに多くの時間、周波数及び電力などの無線資源を基準信号に割り当てると、チャンネル推定及び測定性能が向上して、受信データシンボルの復調及び復号化性能も向上し、チャンネル状態測定の正確度もまた高くなる。しかしながら、通常の移動通信システムの場合に、信号を伝送できる時間、周波数及び送信電力など無線資源が限定されているため、基準信号に多くの無線資源を割り当てる場合に、データ信号に割り当て可能な無線資源が相対的に減少する。この理由から、基準信号に割り当てられる無線資源はシステムスループットを考慮して適切に決定される必要がある。
【００３１】
本発明の実施形態は、無線チャンネルのチャンネル品質を測定する基準信号の送受信方法と、これを複数のセルにおいて効率的に運用する方法に関するものである。
【００３２】
図３は、本発明の一実施形態によるＬＴＥ−Ａシステムにおいて、ｅＮＢのチャンネル状態情報基準信号（Ｃｈａｎｎｅｌ Ｓｔａｔｅ Ｉｎｆｏｒｍａｔｉｏｎ Ｒｅｆｅｒｅｎｃｅ Ｓｉｇｎａｌ：ＣＳＩ−ＲＳ）の伝送を示す図である。
【００３３】
前記図３を参照すると、ＬＴＥ−Ａシステムは、下りリンク伝送を時間区間において１ｍｓｅｃ単位で、かつ、周波数区間において１ＰＲＢ（Ｐｈｙｓｉｃａｌ Ｒｅｓｏｕｒｃｅ Ｂｌｏｃｋ）単位で行う。ここで、ＰＲＢは、１２個の副搬送波からなる。また、１ｍｓｅｃの時間区間は１４個のＯＦＤＭシンボルからなる。ここで、一つのＰＲＢが１２個の副搬送波からなり、１ｍｓｅｃ中に１４個のＯＦＤＭシンボルが伝送されることは、ＬＴＥまたはＬＴＥ−Ａシステムが副搬送波間の間隔が１５ＫＨｚであり、一般巡回プレフィックス（ｎｏｒｍａｌ ｃｙｃｌｉｃｐｒｅｆｉｘ）の長さを用いる場合に相当する。しかしながら、ＬＴＥまたはＬＴＥ−Ａシステムは、この他にも、副搬送波間の間隔が７．５ＫＨｚであってもよく、一般巡回プレフィックスの他に拡張巡回プレフィックスの長さを用いてもよい。
【００３４】
前記図３において、ｅＮＢはサブフレーム３４０から３５１までを伝送する例を示している。このとき、前記サブフレーム３４０から３５１までのうち、サブフレーム３４０、３４５、３５０においてＣＳＩ−ＲＳが伝送される。すなわち、ＣＳＩ−ＲＳの時間的な伝送周期は５ｍｓｅｃまたは５サブフレームとなる。ＣＳＩ−ＲＳが伝送されるということは、サブフレーム３４０を構成するＰＲＢのうちの一つまたは複数においてＣＳＩ−ＲＳに対する伝送が行われるということを意味する。図３の参照番号３３５は、サブフレーム３４０を構成する複数のＰＲＢのうちＣＳＩ−ＲＳを伝送するＰＲＢを具体的に示すものである。前記３３５のようにＣＳＩ−ＲＳが伝送されるＰＲＢにおいては、３３１、３３２、３３３、３３４のように別個のアンテナポートに対するＣＳＩ−ＲＳが伝送される。すなわち、３３１はアンテナポート０、１に対するＣＳＩ−ＲＳが伝送されるのに対し、３３２はアンテナポート２、３に対するＣＳＩ−ＲＳが伝送されるのである。
【００３５】
図３中、参照番号３３６は、ＣＳＩ−ＲＳを伝送しないＰＲＢを示している。すなわち、前記ＣＳＩ−ＲＳが伝送されないＰＲＢは３３６のような形で伝送され、参照番号３３５と比較するときに、ＣＳＩ−ＲＳが存在しないことが分かる。
【００３６】
ＬＴＥ−Ａシステムは、ＬＴＥ−Ａ端末が、図３の３２０のＣＲＳではなく、３３１、３３２、３３３、３３４のＣＳＩ−ＲＳを用いてチャンネル測定を行うという点でＬＴＥシステムと相違点がある。
【００３７】
効率よいＣＳＩ−ＲＳの伝送方法を設計するために、ＣＳＩ−ＲＳが伝送される時間及び周波数空間上における位置を適切に決定しなければならない。
【００３８】
図４は、本発明の一実施形態によるＣＳＩ−ＲＳを伝送するときに活用する時間及び周波数空間上の位置を説明するための図である。
【００３９】
図４中、ＰＲＢは、種々の互いに異なるＲＥ（Ｒｅｓｏｕｒｃｅ Ｅｌｅｍｅｎｔ）から構成されていることが分かる。ここで、ＲＥは、一つの副搬送波とＯＦＤＭシンボルに相当する時間及び周波数上における位置を意味し、ＬＴＥとＬＴＥ−Ａシステムにおいて送受信される最も基本単位に相当する。図４中、各正方形が一つのＲＥを象徴する。ここで、合計で１２×１４個の正方形があるため、合計で１２×１４個のＲＥが存在する。
【００４０】
前記図４を参照すると、最初の３つのＯＦＤＭシンボル区間（すなわち、０番目から２番目のＯＦＤＭシンボル区間）に相当する領域は制御領域であり、この区間においては制御信号及びＣＲＳ（すなわち、ＣＲＳ４１０）だけが伝送される。制御領域は、ＬＴＥ−Ａシステムにおいて動作中のＬＴＥＵＥが観察する領域であるため、ＣＳＩ−ＲＳが伝送されない。図４中、３番目から最後のＯＦＤＭシンボル区間（すなわち、３番目から１３番目のＯＦＤＭシンボル区間）まではデータ領域であり、データ領域においてはトラフィックチャンネル信号、チャンネル推定のためのＬＴＥＵＥ専用の基準信号（ＬＴＥＵＥ固有のＲＳ）、チャンネル推定のためのＬＴＥＵＥ専用の基準信号（または、ＬＴＥ−ＡＵＥ固有のＲＳ）、ＣＲＳなどが伝送され得る。ＣＳＩ−ＲＳは制御領域には伝送できないため、データ領域に伝送される必要がある。しかしながら、データ領域（ＲＥ４３０のような）に伝送されても、既存のＬＴＥ送受信動作に悪影響を及ぼし得る一部のＲＥにはＣＳＩ−ＲＳが伝送されてはならない。ＣＳＩ−ＲＳが伝送されてはならない代表的なＲＥとしては、ＣＲＳが伝送される４、７、８、１１番目のＯＦＤＭシンボルに含まれている全てのＲＥ、図４において４２０のように表示されたＬＴＥＵＥのためのＵＥ専用の基準信号が伝送されるＲＥ、図４において４４０のように表示されたＬＴＥ−ＡＵＥのためのＵＥ専用の基準信号が伝送されるＲＥが挙げられる。
【００４１】
図５は、本発明の一実施形態によるＬＴＥ−Ａシステムにおいて、ＣＳＩ−ＲＳの伝送のためのＲＥが割り当てられたＰＲＢを示す図である。
【００４２】
前記図５を参照すると、５１０、５２０、５３０、５６０、５５０、５８０のＣＳＩ−ＲＳは、それぞれが伝送されるＰＲＢのＯＦＤＭシンボルにおいて唯一のＣＳＩ−ＲＳである。すなわち、５１０、５２０、５３０、５６０、５５０、５８０のＣＳＩ−ＲＳが伝送されるＯＦＤＭシンボルにおいては、それぞれ一つのアンテナポートに対するＣＳＩ−ＲＳしか伝送できない。このように一つのＯＦＤＭシンボルにおいて一つのアンテナポートに対するＣＳＩ−ＲＳしか伝送しないことは、ｅＮＢ送信電力を運用する観点において非効率的である。ｅＮＢが複数のアンテナポートから構成される場合に、一つのＯＦＤＭシンボルにおいて、図５に示すように、一つのアンテナポートに対するＣＳＩ−ＲＳだけを伝送すると、残りのアンテナポートに対する伝送電力を活用できなくなる。一例として、図５のＰＲＢ内において４個のアンテナポートに対するＣＳＩ−ＲＳ伝送が行われる場合に、５１０が伝送されるＯＦＤＭシンボルにおいては特定のアンテナポートに対するＣＳＩ−ＲＳを伝送することとなる。問題は、この場合に、５１０において一つのアンテナポートに対するＣＳＩ−ＲＳを伝送するため、他の３つのアンテナポートに対する伝送電力を活用できなくなるということである。
【００４３】
一つのＯＦＤＭシンボル内において２つのアンテナポートに対するＣＳＩ−ＲＳ伝送が行える場合も同様である。５４０及び５７０は、一つのＯＦＤＭシンボル内において伝送が行われ、このとき、それぞれ異なるアンテナポートに対するＣＳＩ−ＲＳを載せて伝送され得る。問題は、ｅＮＢのアンテナポートの総数が２つよりも多い場合に、上述した場合と同様に、５４０及び５７０に載るＣＳＩ−ＲＳのアンテナポート以外のアンテナポートに対する伝送電力を活用できなくなる。
【００４４】
ｅＮＢの全てのアンテナポートの伝送電力を活用する方法としては、全てのアンテナポートに対するＣＳＩ−ＲＳを一つのＯＦＤＭシンボルにおいて伝送することがある。しかしながら、この方法は、ＰＲＢに１２個の副搬送波しか存在しない点、アンテナポートが最大８個まで採用可能である点、一部のＲＥにはＣＳＩ−ＲＳを伝送できない点を考慮するとき、運用上の制約が存在する。
【００４５】
本発明の実施形態において提案するｅＮＢの全てのアンテナポートの伝送電力を活用する方法は、ｅＮＢが伝送するアンテナポート別のＣＳＩ−ＲＳを互いに異なるＰＲＢにおいて交差させて適用することである。
【００４６】
図６は、本発明の他の実施形態により、ＬＴＥ−ＡシステムにおいてＣＳＩ−ＲＳの伝送のためのＲＥが割り当てられたＰＲＢを示す図である。
【００４７】
前記図６を参照すると、基地局においてＣＳＩ−ＲＳを伝送するとき、第１のＯＦＤＭシンボル及び第２のＯＦＤＭシンボルにおいてＣＳＩ−ＲＳを伝送する。このとき、基地局は、全てのアンテナポートの伝送電力を活用するために、システム帯域幅内において前記ＣＳＩ−ＲＳを伝送する複数のＰＲＢのうちの一部は第１のＣＳＩ−ＲＳパターンタイプにて伝送し、残りは第２のＣＳＩ−ＲＳパターンタイプにて伝送する。ここで、前記第１のＣＳＩ−ＲＳパターンタイプは第１のＯＦＤＭシンボルにおいて第１のアンテナポートに対するＣＳＩ−ＲＳを伝送し、第２のＯＦＤＭシンボルにおいて第２のアンテナポートに対するＣＳＩ−ＲＳを伝送し、前記第２のＣＳＩ−ＲＳパターンタイプは第１のＯＦＤＭシンボルにおいて第２のアンテナポートに対するＣＳＩ−ＲＳを伝送し、第２のＯＦＤＭシンボルにおいて第１のアンテナポートに対するＣＳＩ−ＲＳを伝送するような構造を有する。
【００４８】
前記図６の説明において、第１のＯＦＤＭシンボルは９番目のＯＦＤＭシンボルになり得、第２のＯＦＤＭシンボルは１０番目のＯＦＤＭシンボルになり得る。また、前記第１のＣＳＩ−ＲＳパターンタイプはＣＳＩ−ＲＳパターンタイプＡ６１０になり得、前記第２のＣＳＩ−ＲＳパターンタイプはＣＳＩ−ＲＳパターンタイプＢ６２０になり得る。
【００４９】
前記図６において、ｅＮＢは９番目及び１０番目のＯＦＤＭシンボルにおいてＣＳＩ−ＲＳを伝送することを想定する。このとき、ｅＮＢが伝送するＣＳＩ−ＲＳパターンはタイプＡ６１０とタイプＢ６２０の２種類である。前記図６のＣＳＩ−ＲＳパターンタイプＡ６１０は９番目のＯＦＤＭシンボルにおいてアンテナポート４、５、６、７に対するＣＳＩ−ＲＳを伝送し、１０番目のＯＦＤＭシンボルにおいてアンテナポート０、１、２、３に対するＣＳＩ−ＲＳを伝送する。これに対し、図６のＣＳＩ−ＲＳパターンタイプＢ６２０は、９番目のＯＦＤＭシンボルにおいてアンテナポート０、１、２、３に対するＣＳＩ−ＲＳを伝送し、１０番目のＯＦＤＭシンボルにおいてアンテナポート４、５、６、７に対するＣＳＩ−ＲＳを伝送する。図６のＣＳＩ−ＲＳパターンにて伝送するｅＮＢはシステム帯域幅内においてＣＳＩ−ＲＳを伝送する複数のＰＲＢのうちの半分は図６のＣＳＩ−ＲＳパターンタイプＡ６１０を適用して伝送し、残りの半分は図６のＣＳＩ−ＲＳパターンタイプＢ６２０を適用して伝送する。
【００５０】
図６に示すように複数のＣＳＩ−ＲＳを定義し、これにより、システム帯域内のＰＲＢのうちＣＳＩ−ＲＳを伝送するＰＲＢに同じ割合にて複数のＣＳＩ−ＲＳを伝送することは、下記のメリットを有する。先ず、第一に、ＣＳＩ−ＲＳを伝送するＯＦＤＭシンボル内において伝送されるＣＳＩ−ＲＳアンテナポートが同じ割合にて全て存在する。第二に、複数のＯＦＤＭシンボルを用いてＣＳＩ−ＲＳを伝送することができる。
【００５１】
前記第一番目のメリットは、ＣＳＩ−ＲＳパターンタイプＡとＣＳＩ−ＲＳパターンタイプＢが同じＯＦＤＭシンボル内において互いに異なるアンテナポートに対するＣＳＩ−ＲＳを伝送するが、両パターンを同時に用いる場合に、一つのＯＦＤＭシンボル区間内において全てのアンテナポートが存在するためである。一例として、２つのＰＲＢから構成されるシステム帯域幅を考えてみる。この場合に、最初のＰＲＢはＣＳＩ−ＲＳパターンタイプＡにてＣＳＩ−ＲＳを伝送し、２番目のＰＲＢはＣＳＩ−ＲＳパターンタイプＢにてＣＳＩ−ＲＳを伝送する場合に、それぞれ９番目、１０番目のＯＤＦＭシンボル内において全てのアンテナポートに対するＣＳＩ−ＲＳの伝送が行われる。このように全てのアンテナポートに対するＣＳＩ−ＲＳの伝送が一つのＯＦＤＭシンボル内において行われる場合に、全てのアンテナポートの伝送電力を活用することができる。第二番目のメリットは、ＣＳＩ−ＲＳを伝送するに際して、複数のＯＦＤＭシンボルを用いて伝送位置の選定をより高い自由度をもって行うことができるということである。８個のアンテナポートに対するＣＳＩ−ＲＳを一つのＯＦＤＭシンボルに伝送することを想定する。この場合に、ＣＳＩ−ＲＳは、５、６、１２、１３番目のＯＦＤＭシンボルに伝送され得ない。５、６、１２、１３番目のＯＦＤＭシンボルにはＣＳＩ−ＲＳを伝送できるＲＥが６個しか存在しないためである。
【００５２】
図７は、本発明の一実施形態により、図６に示すように、ＣＳＩ−ＲＳパターンタイプＡとＣＳＩ−ＲＳパターンタイプＢに応じたシステム帯域内におけるＣＳＩ−ＲＳの伝送方法を示す図である。
【００５３】
前記図７を参照すると、図７の７１０は、ＰＲＢインデックスが奇数であるか偶数であるかによって図６のＣＳＩ−ＲＳパターンタイプＡ６１０とＣＳＩ−ＲＳパターンタイプＢ６２０を割り当てた結果である。図７の左側は、ＰＲＢインデックスが偶数（すなわち、０、２、４、６、…）である場合に、ＣＳＩ−ＲＳパターンタイプＡ６１０にてＣＳＩ−ＲＳを伝送し、ＰＲＢインデックスが奇数（すなわち、１、３、５、７、…）である場合に、ＣＳＩ−ＲＳパターンタイプＢ６２０にてＣＳＩ−ＲＳを伝送している。なお、図７の７２０は、ＰＲＢインデックスの最大値の半分（すなわち、Ｋ／２、ここで、Ｋは、ＰＲＢインデックスの最大値）を超えるか否かによって図６のＣＳＩ−ＲＳパターンタイプＡ６１０とＣＳＩ−ＲＳパターンタイプＢ６２０を割り当てた結果である。図７の７２０ＰＲＢインデックスがＰＲＢインデックスの最大値の半分である２．５（＝５／２）を超えなければ（すなわち、ＰＲＢ０−ＰＲＢ２）ＣＳＩ−ＲＳパターンタイプＡ６１０にてＣＳＩ−ＲＳを伝送し、超えると（すなわち、ＰＲＢ３−ＰＲＢ５）ＣＳＩ−ＲＳパターンタイプＢ６２０にてＣＳＩ−ＲＳを伝送する。
【００５４】
図７は、２つのＣＳＩ−ＲＳパターンを用いる場合のＣＳＩ−ＲＳの伝送方法を示している。しかしながら、システム帯域内のＣＳＩ−ＲＳパターンの適用を通常のＮ個のＣＳＩ−ＲＳパターンに対してまとめると、下記の通りである。システム帯域幅にＫ個のＰＲＢ（すなわち、ＰＲＢインデックスの最大値がＫであるとした場合）が存在するとする。
【００５５】
方法１：ＰＲＢインデックスがｉである場合に、（ｉｍｏｄＮ）番目のＣＳＩ−ＲＳパターンタイプを用いる。方法２：ＰＲＢインデックスがｉである場合に、
【数１】
0005985696.tif 000002
番目のＣＳＩ−ＲＳパターンタイプを用いる。
【００５６】
前記方法１及び方法２は、ＣＳＩ−ＲＳが全てのＰＲＢに伝送される場合に対するものであるが、ＣＳＩ−ＲＳが全てのＰＲＢに伝送されない場合にも同様に適用可能である。一例として、ＣＳＩ−ＲＳが毎Ｌ番目のＰＲＢ（例えば、図３の場合に、毎５番目のＰＲＢにおいてＣＳＩ−ＲＳが伝送され、この場合に、Ｌ＝５になりえる）にのみ伝送される場合に同様に適用可能である。周波数領域において等間隔にてＬ番目のＰＲＢにおいてのみＣＳＩ−ＲＳが伝送される場合に、ＰＲＢインデックスによって、下記表１に示すように、ＣＳＩ−ＲＳを伝送するＰＲＢを決定することができる。
【００５７】
【表１】
0005985696.tif 000003
【００５８】
前記表１において、オフセット値は等間隔にてＣＳＩ−ＲＳを伝送するＰＲＢを決定するに際して、一つの間隔内における位置を決定する変数である。上記のように定義されるＰＲＢにおいてＣＳＩ−ＲＳが伝送される場合にも、上記の方法１及び方法２は下記の方法３及び方法４と同様に適用可能である。
【００５９】
方法３：ＰＲＢインデックスがｉであり、ＣＳＩ−ＲＳを伝送するＰＲＢである場合
【００６０】
【数２】
0005985696.tif 000004
または（（ｉ−ｏｆｆｓｅｔ／Ｌ）ｍｏｄＮ番目のＣＳＩ−ＲＳパターンタイプを用いる。
【００６１】
方法４：ＰＲＢインデックスがｉであり、ＣＳＩ−ＲＳを伝送するＰＲＢである場合
【００６２】
【数３】
0005985696.tif 000005
番目のＣＳＩ−ＲＳパターンタイプを用いる。
【００６３】
上記のＣＳＩ−ＲＳの伝送方法は、ＬＴＥ（ＬＴＥ−Ａ）がシグナリングを通じてＵＥに通報することができる。すなわち、前記ＬＴＥ（ＬＴＥ−Ａ）は、前記方法１乃至方法４のうちの一つの方法と用いるＣＳＩ−ＲＳパターンタイプをＵＥに知らせ、ＣＳＩ−ＲＳを伝送する時点において当該ＰＲＢインデックスに対応するＣＳＩ−ＲＳパターンタイプにてＣＳＩ−ＲＳをＵＥに伝送する。
【００６４】
図８は、本発明の一実施形態による４個のＣＳＩ−ＲＳパターンを有する互いに異なるＰＲＢにおけるアンテナポートのＣＳＩ−ＲＳパターンの伝送方法を示す図である。
【００６５】
前記図８を参照すると、ＣＳＩ−ＲＳパターンの場合に、ＣＳＩ−ＲＳが４個のＯＦＤＭシンボルにて伝送されるように設計されている。これにより、図６に示すように、ＣＳＩ−ＲＳを伝送する一つのＯＦＤＭシンボルにて全てのアンテナポートの伝送が行われるように４種類のＣＳＩ−ＲＳパターンタイプ（すなわち、タイプＡ−タイプＤ）が定義されている。システム帯域幅内の複数のＰＲＢにてＣＳＩ−ＲＳを割り当てる方法は、前記図７において述べたＰＲＢインデックスを用いたＣＳＩ−ＲＳパターンタイプの割り当て方法を同様に用いることができる。
【００６６】
図６及び図８により、全てのアンテナポートの伝送電力の活用のために用いられるＣＳＩ−ＲＳパターンの特徴は、伝送されるＣＳＩ−ＲＳのアンテナポートが巡回される特徴を有するということである。一例として、図８の場合に、５、６、９、１０番目のＯＦＤＭシンボルにおいて伝送されるアンテナポート別のＣＳＩ−ＲＳがＯＦＤＭ時間的に巡回されることを観察することができる。このような巡回性質は全てのアンテナポートの伝送電力を活用するＣＳＩ−ＲＳパターンを定義するのに必須的である。
【００６７】
ＣＳＩ−ＲＳの伝送方法を設計するときに重要な事項は、複数のｅＮＢがＣＳＩ−ＲＳにどのような無線資源を割り当てるかであり、併せて、一つのｅＮＢを構成する複数のセルのＣＳＩ−ＲＳにどのような無線資源を割り当てるかである。ＣＳＩ−ＲＳは、ＵＥがＬＴＥ−Ａ動作を実現する上で欠かせない信号である。このため、無線チャンネルの状態をより正確に測定できるように、ｅＮＢは各セルに伝送するＣＳＩ−ＲＳの信号をデータ信号に載る伝送電力よりも高い伝送電力にて送信することができる。このようにＣＳＩ−ＲＳの信号をデータ信号に載る伝送電力よりも高く設定するということは、ＣＳＩ−ＲＳが載るＲＥの伝送電力をデータが載るＲＥの伝送電力よりも高く設定するということを意味する。ＣＳＩ−ＲＳＲＥの伝送電力をデータＲＥの伝送電力よりも高く設定し、互いに異なるセルが同じＲＥ位置においてＣＳＩ−ＲＳを伝送する場合に、互いに異なるセルのＣＳＩ−ＲＳが互いに対して干渉として働くこととなる。このため、この場合に、ＣＳＩ−ＲＳの伝送電力を相対的に高く設定してもチャンネル測定から得られる効果が小さくなる。このため、ＣＳＩ−ＲＳの伝送電力を相対的に高く設定しながらチャンネル測定をより正確に行うための方法が必要である。これを解消するために、本発明の実施形態は、複数のセルに割り当てできる個別的なＣＳＩ−ＲＳパターンを定義する。すなわち、本発明の実施形態は複数のＣＳＩ−ＲＳを定義し、これをセルラーシステムを構成するセルに適切に割り当てる方法を提案する。
【００６８】
図９は、本発明の一実施形態による移動通信システムにおいて複数のセルに割り当てられるＣＳＩ−ＲＳパターンを示す図である。
【００６９】
前記図９は、ＣＲＳ−ＲＳが伝送される複数のＣＳＩ−ＲＳパターンを示している。前記ＣＳＩ−ＲＳパターンは、セル間のＣＳＩ−ＲＳが伝送される位置が重なることを最大限に防ぐために、それぞれ互いに異なるセルに時間及び周波数上において互いに異なる資源を用いるように割り当てられる。ここで、前記ＣＳＩ−ＲＳパターンは同じＯＦＤＭシンボルにおいて複数のアンテナポートのＣＳＩ−ＲＳが割り当てられ、各ＣＳＩ−ＲＳパターンは互いに異なるＯＦＤＭシンボルを用いて時間上において互いに異なる資源を用いる。そして、同じＯＦＤＭシンボルを用いる場合に、前記ＣＳＩ−ＲＳパターンはＣＳＩ−ＲＳのアンテナポートをシステム帯域幅において交差的に適用されるように周波数上に互いに異なる資源が割り当てられる。
【００７０】
図９において定義された６個のＣＳＩ−ＲＳパターンはそれぞれ互いに異なるセルに分散的に割り当てられてセル間のＣＳＩ−ＲＳが伝送される位置が重なることを最大限に防ぐ。図９において、ＣＳＩ−ＲＳパターン０は、ＣＳＩ−ＲＳパターン２、３、４、５と時間及び周波数上において互いに異なるＲＥを用いる。この理由から、ＣＳＩ−ＲＳパターン２、３、４、５にてＣＳＩ−ＲＳを伝送する他のセルにおいてＣＳＩ−ＲＳの伝送電力が増大しても、ＣＳＩ−ＲＳパターン０にて伝送されるセルのＣＳＩ−ＲＳを受信するＵＥはチャンネル測定にさらなる干渉を受けない。図９において、ＣＳＩ−ＲＳパターン０にて伝送されるＣＳＩ−ＲＳがＣＳＩ−ＲＳパターン２、３、４、５にて伝送されるＣＳＩ−ＲＳと相互干渉を発生させない理由は、互いに異なる周波数及び時間資源を用いて伝送されるためであり、これは、ＣＳＩ−ＲＳのアンテナポートの数とは拠らずに行われる。すなわち、ＣＳＩ−ＲＳのアンテナポートが２つである場合にも、図９のアンテナポート０、１の位置においてのみＣＳＩ−ＲＳを伝送することにより、互いに干渉を発生させることを防ぐことができる。
【００７１】
図９において、ＣＳＩ−ＲＳパターン０はＣＳＩ−ＲＳパターン１とは相互干渉を発生させることができる。図９において、ＣＳＩ−ＲＳパターン０を用いて伝送されるＣＳＩ−ＲＳのアンテナポート数が４個以下であり、同時に、ＣＳＩ−ＲＳパターン１を用いて伝送されるＣＳＩ−ＲＳのアンテナポート数が４個以下である場合に、２種類のＣＳＩ−ＲＳは相互干渉を発生させない。ＣＳＩ−ＲＳパターン０を用いて伝送されるＣＳＩ−ＲＳが４個よりも多いアンテナポートを有するか、あるいは、ＣＳＩ−ＲＳパターン１を用いて伝送されるＣＳＩ−ＲＳが４個よりも多くのアンテナポートに伝送される場合にのみ、２種類のＣＳＩ−ＲＳの間に干渉が発生する。このように干渉が制限的な場合にのみ発生される理由は、本発明において提案したＣＳＩ−ＲＳパターンが同じＯＦＤＭシンボル内において交差的に適用されたためである。すなわち、ＣＳＩ−ＲＳパターン０においては同じＯＦＤＭシンボル内において伝送されるアンテナポートの順序が０、４、１、５、２、６、３、７であるのに対し、ＣＳＩ−ＲＳパターン１においては同じＯＦＤＭシンボル内において伝送されるアンテナポートの順序が４、０、５、１、６、２、７、３である。
【００７２】
図９の実施形態によるＣＳＩ−ＲＳパターン０と関連して上述した内容は、ＣＳＩ−ＲＳパターン１、２、３、４、５の観点においてもほとんど同様に適用される。図９に示すように、本発明の実施形態において定義されたＣＳＩ−ＲＳパターンは、図１０に示すように、複数のセルから構成される移動通信システムに適用可能である。
【００７３】
図１０は、本発明の一実施形態により図９に示すように定義されたように、複数のＣＳＩ−ＲＳパターンを適用した移動通信システムのセル配置の例を示す図である。
【００７４】
前記図１０を参照すると、移動通信システム領域は７個の六角形構造のｅＮＢサービス領域からなり、各ｅＮＢサービス領域はさらに３つのセルからなる。一つのｅＮＢサービス領域を構成する３つのセルごとに互いに異なるＣＳＩ−ＲＳパターンを用いてＣＳＩ−ＲＳが伝送される。一例として、図１０における参照番号１０１０のセルにおいて、ｅＮＢはＣＳＩ−ＲＳパターン１を用いてＣＳＩ−ＲＳを伝送し、参照番号１０２０のセルにおいて、ｅＮＢはＣＳＩ−ＲＳパターン４を用いてＣＳＩ−ＲＳを伝送する。なお、参照番号１０３０のセルにおいて、ｅＮＢはＣＳＩ−ＲＳパターン３を用いてＣＳＩ−ＲＳを伝送する。
【００７５】
図１０に示すように、複数のセルから構成される移動通信システムに図９に示すように定義された複数のＣＳＩ−ＲＳパターンを割り当てる方法として、本発明の実施形態は、セルＩＤを用いた方法を提案する。本発明において、セルＩＤがＮＣｅｌｌ＿ＩＤである場合に、ＣＳＩ−ＲＳパターンＩＤは下記の数式１により決定することができる。
【００７６】
ＣＳＩ−ＲＳパターンＩＤ＝ＮＣｅｌｌ＿ＩＤｍｏｄ６・・・数式（１）
【００７７】
前記数式１は、各セル別に割り当てられるセルＩＤに応じて前記図９において提示された６個のＣＳＩ−ＲＳパターンをｅＮＢとＵＥとの間に別途のシグナリングなしに割り当てることができるというメリットがある。前記数式１に示す方法の他にも、上位層シグナリングを用いてセル別にどのようなＣＳＩ−ＲＳパターンを用いるかを割り当て、ＵＥに制御情報の形で通報する方法も採用可能である。
【００７８】
本発明においてＣＳＩ−ＲＳパターンを割り当てる他の方法は、ＣＳＩ−ＲＳパターンを２以上のグループに分け、各グループに割り当てられたＣＳＩ−ＲＳを他の目的に用いることである。一例として、前記図９の６個のＣＳＩ−ＲＳパターンを２つのグループに分けることができる。グループＡに前記図９のＣＳＩ−ＲＳパターン０、ＣＳＩ−ＲＳパターン２、ＣＳＩ−ＲＳパターン４を割り当て、グループＢに前記図９のＣＳＩ−ＲＳパターン１、ＣＳＩ−ＲＳパターン３、ＣＳＩ−ＲＳパターン５を割り当てたとする。このように図９のＣＳＩ−ＲＳパターン６個をグループＡとグループＢに分けて分離する場合に、それぞれグループＡとグループＢ内において互いに対する位置が重ならないＣＳＩ−ＲＳパターンの集合が形成される。すなわち、グループＡ内のＣＳＩ−ＲＳパターン０、ＣＳＩ−ＲＳパターン２、ＣＳＩ−ＲＳパターン４は同じ位置においてＣＳＩ−ＲＳを重ねて伝送しなくなる。
【００７９】
このように与えられたＣＳＩ−ＲＳパターンをＧ個のグループに分けてセルＩＤに応じて割り当てる場合、次の方法によりＣＳＩ−ＲＳパターンを割り当てる。グループｇのＣＳＩ−ＲＳパターンを割り当てられるセルのセルＩＤがＮＣｅｌｌ＿ＩＤであり、グループｇにＮｇ個のＣＳＩ−ＲＳパターンが存在する場合に、当該セルのＣＳＩ−ＲＳパターンは下記の数式２のように決定することができる。
【００８０】
グループｇのＣＳＩ−ＲＳパターンＩＤ＝ＮＣｅｌｌ＿ＩＤｍｏｄＮｇ・・数式（２）
【００８１】
前記数式２の「グループｇのＣＳＩ−ＲＳパターンＩＤ」は、グループｇにＮｇ個のＣＳＩ−ＲＳパターンを割り当てた後、それぞれのＣＳＩ−ＲＳパターンに０からＮｇ−１までの新たなインデックスを割り当てたものである。一例として、グループｇに前記図９のＣＳＩ−ＲＳパターン０、２、４が含まれるとしたとき、グループｇのＣＳＩ−ＲＳパターンＩＤは０、１、２となる。
【００８２】
図１１は、本発明の他の実施形態による移動通信システムにおいて複数のセルに割り当てられるＣＳＩ−ＲＳパターンを示す図である。
【００８３】
前記図１１のＣＳＩ−ＲＳパターンは、複数のＯＦＤＭシンボルにおいて複数のアンテナポートのＣＳＩ−ＲＳが伝送され、各ＣＳＩ−ＲＳパターンは互いに異なるＯＦＤＭシンボルを用いて時間上に互いに異なる資源を用いる。そして、同じＯＦＤＭシンボルを用いる場合に、ＣＳＩ−ＲＳパターンはＣＳＩ−ＲＳのアンテナポートをシステム帯域幅において交差的に適用されるように周波数上に互いに異なる資源が割り当てられる。
【００８４】
前記図１１を参照すると、前記図１１において定義された６個のＣＳＩ−ＲＳパターンは、前記図９において定義された６個のＣＳＩ−ＲＳパターンと同様に、それぞれ互いに異なるセルに分散的に割り当てられてセル間のＣＳＩ−ＲＳが伝送される位置が重なることを最大限に防ぐ。図１１において、ＣＳＩ−ＲＳパターン０は、ＣＳＩ−ＲＳパターン２、３、４、５と時間及び周波数上において互いに異なるＲＥを用いる。この理由から、ＣＳＩ−ＲＳパターン２、３、４、５にてＣＳＩ−ＲＳを伝送する他のセルにおいてＣＳＩ−ＲＳの伝送電力が増加しても、ＣＳＩ−ＲＳパターン０にて伝送されるセルのＣＳＩ−ＲＳを受信するＵＥはチャンネル測定に追加的な干渉を受けない。図１１において、ＣＳＩ−ＲＳパターン０にて伝送されるＣＳＩ−ＲＳがＣＳＩ−ＲＳパターン２、３、４、５にて伝送されるＣＳＩ−ＲＳと相互干渉を発生させない理由は、互いに異なる周波数及び時間資源を用いて伝送されるためであり、これは、ＣＳＩ−ＲＳのアンテナポートの数とは無関係に行われる。すなわち、ＣＳＩ−ＲＳのアンテナポートが２つである場合にも、図１１のアンテナポート０、１の位置においてのみＣＳＩ−ＲＳを伝送することにより、互いに干渉を発生させることを防ぐことができる。
【００８５】
図１１において、ＣＳＩ−ＲＳパターン０は、ＣＳＩ−ＲＳパターン１とは相互干渉を発生させることができる。図１１において、ＣＳＩ−ＲＳパターン０を用いて伝送するＣＳＩ−ＲＳのアンテナポート数が４個以下であり、同時に、ＣＳＩ−ＲＳパターン１を用いて伝送するＣＳＩ−ＲＳのアンテナポート数が４個以下である場合に、２種類のＣＳＩ−ＲＳは相互干渉を発生させない。ＣＳＩ−ＲＳパターン０を用いて伝送するＣＳＩ−ＲＳが４個よりも多いアンテナポートを有するか、あるいは、ＣＳＩ−ＲＳパターン１を用いて伝送するＣＳＩ−ＲＳが４個よりも多いアンテナポートに伝送される場合に限って、２種類のＣＳＩ−ＲＳの間に干渉が発生される。このように干渉が制限的な場合にのみ発生される理由は、本発明において提示したＣＳＩ−ＲＳパターンが２つのＯＦＤＭシンボルの間において交差的に適用されたためである。すなわち、ＣＳＩ−ＲＳパターン０においては９番目のＯＦＤＭシンボルにおいてアンテナポート０、４、２、６に対するＣＳＩ−ＲＳが伝送されるのに対し、１０番目のＯＦＤＭシンボルにおいてアンテナポート５、１、７、３に対するＣＳＩ−ＲＳが伝送される。これとは異なり、ＣＳＩ−ＲＳパターン１においては９番目のＯＦＤＭシンボルにおいてアンテナポート５、１、７、３に対するＣＳＩ−ＲＳが伝送されるのに対し、１０番目のＯＦＤＭシンボルにおいてアンテナポート０、４、２、６に対するＣＳＩ−ＲＳが伝送される。このようにＣＳＩ−ＲＳパターン０とＣＳＩ−ＲＳパターン１において互いに異なる２つのＯＦＤＭシンボルに異なるＣＳＩ−ＲＳアンテナポートを割り当てることにより、それぞれアンテナポートの数が４個以下である場合に、互いに対する干渉なしに送受信が行われる。
【００８６】
前記図９及び図１１は、一つのＰＲＢに複数のＣＳＩ−ＲＳパターンを定義しており、前記数式１及び数式２を用いて異なるセルＩＤを有するセルに割り当てる本発明の実施形態による方法を提供している。ＬＴＥ−Ａシステムにおいて、ＣＳＩ−ＲＳは、様々な運用のシナリオに適用可能に設計される必要がある。ＬＴＥ−Ａシステムにおいて重要な運用のシナリオの一つは、互いに異なる大きさのサービス領域を有するセルが共存するヘテロジニアスネットワークである。この場合に、半径が極めて小さな（数十メートル）サービス領域のためのセルと、半径が極めて大きな（数キロメートル）サービス領域のためのセルが同じ地域において共存することとなる。この場合に、各セルの種類に応じてＣＳＩ−ＲＳを差別的に適用する必要がある。
【００８７】
本発明の実施形態においては、異なる種類のセルに対して互いに異なる種類のＣＳＩ−ＲＳを提供するために、一つのＰＲＢ内の領域を複数に分けた後、各領域において複数のＣＳＩ−ＲＳパターンを定義する方法を提示する。
【００８８】
図１２は、本発明の実施形態によりＣＳＩ−ＲＳを伝送できる領域を３つに分け、各領域を他の目的に用いる場合を示す図である。
【００８９】
図１２を参照すると、ＣＳＩ−ＲＳ領域Ａの場合に、サービス領域が小さな小規模セルのＣＳＩ−ＲＳを伝送するのに用いられ、ＣＳＩ−ＲＳ領域Ｂの場合に、サービス領域が中間程度である中規模セルのＣＳＩ−ＲＳを伝送するのに用いられ、ＣＳＩ−ＲＳ領域Ｃの場合に、サービス領域が大きな大規模セルのＣＳＩ−ＲＳを伝送するのに用いられる。
【００９０】
図１３は、本発明の実施形態により互いに異なる種類のセルが共存する状況において、各セルの特徴によってどの領域のＣＳＩ−ＲＳを用いるかを差別化して適用したことを示すものである。図１３を参照すると、各セルはその規模に応じて互いに異なる領域のＣＳＩ−ＲＳが割り当てられたことが分かる。このように複数のＣＳＩ−ＲＳ領域を分けて各セルの特徴によって割り当てることは、同じＣＳＩ−ＲＳ資源を類似する特性を有するセルの間において配分することにより効率的なＣＳＩ−ＲＳ資源管理が可能になる。
【００９１】
図１３に示すように、本発明により互いに異なる種類のセルにＣＳＩ−ＲＳを割り当てる方法は、下記の通りである。
【００９２】
１．ｅＮＢは、与えられたＣＳＩ−ＲＳ伝送可能領域を複数のＣＳＩ−ＲＳ領域に分ける。
【００９３】
２．ｅＮＢは、各ＣＳＩ−ＲＳ領域をどのような種類のセルに割り当てるかを決定する。
【００９４】
３．ｅＮＢは、当該セルの種類を決定する。（例：Ｆｅｍｔｏ、Ｍｉｃｒｏ、Ｍａｃｒｏ）
【００９５】
４．ｅＮＢは、決定されたセルの種類によってこれに相当するＣＳＩ−ＲＳ領域においてＣＳＩ−ＲＳパターンを決定して各セルに割り当てる。
【００９６】
上記のようにＣＳＩ−ＲＳを伝送できる領域を複数のＣＳＩ−ＲＳ領域に分け、目的に応じて割り当てることは、本発明において提案する図９または図１１のＣＳＩ−ＲＳパターンと連動して実現可能である。一例として、図１１において、最後の２つのＯＦＤＭシンボル内において時間軸において最後の２つのＯＦＤＭシンボルをＣＳＩ−ＲＳ領域Ａと限定し、残りの領域をＣＳＩ−ＲＳ領域Ｂと限定する場合に、ＣＳＩ−ＲＳパターンＥとＣＳＩ−ＲＳパターンＦはＣＳＩ−ＲＳ領域Ａを用いるものとして分類されるセルにのみ割り当て可能である。
【００９７】
図１４Ａ乃至図１４Ｃは、本発明の他の実施形態により複数のセルに互いに異なるＣＳＩ−ＲＳパターンを割り当てるために本発明において提示するさらに他のＣＳＩ−ＲＳパターンを示す図である。
【００９８】
より具体的に、図１４ＡのＣＳＩ−ＲＳパターンは、ＣＳＩ−ＲＳアンテナポートを８個支援できる重ならない３つのＣＳＩ−ＲＳパターンを有する。また、前記図１４ＢのＣＳＩ−ＲＳパターンは、ＣＳＩ−ＲＳアンテナポートを４個支援できる重ならない６個のＣＳＩ−ＲＳパターンを有する。さらに、前記図１４ＣのＣＳＩ−ＲＳパターンは、ＣＳＩ−ＲＳアンテナポートを２つ支援できる重ならない１２個のＣＳＩ−ＲＳパターンを有する。前記図１４Ａ乃至図１４Ｃに定義されたＣＳＩ−ＲＳパターンの場合に、少ない数のＣＳＩ−ＲＳアンテナポートに対して相対的に多数のＣＳＩ−ＲＳパターンを支援することを特徴とする。
【００９９】
図１４Ａ乃至図１４Ｃを参照すると、ＣＳＩ−ＲＳパターンの数は、いくつのアンテナポートのためのものであるかによって異なる。この場合に、各セルに対してＣＳＩ−ＲＳを決定する方法も異なる。一例として、前記図９または図１１に示すように、アンテナポートの数が８、４、２であり、それぞれ６個のＣＳＩ−ＲＳパターンが定義された場合に、アンテナポートの数とは無関係にＣＳＩ−ＲＳパターンＩＤは前記数式１のように決定することができる。前記図１４Ａ乃至図１４Ｃの場合に、アンテナポートの数が８、４、２である場合に、それぞれ３、６、１２個のＣＳＩ−ＲＳパターンが定義される。この場合に、本発明において下記の方法を用いてＣＳＩ−ＲＳパターンを決定する。
【０１００】
ステップ１．ＵＥがｅＮＢから接続されたセルのＣＳＩ−ＲＳアンテナポートの数を通報される。
【０１０１】
ステップ２．ＵＥは、下記の数式３を用いて通報されたＣＳＩ−ＲＳアンテナポートを支援できるどのようなＣＳＩ−ＲＳパターンを用いるかを決定する。
【０１０２】
ＣＳＩ−ＲＳパターンＩＤ＝ＮＣｅｌｌ＿ＩＤｍｏｄＮＡ・・・数式（３）
【０１０３】
前記数式３において、ＮＡ値は、ＣＳＩ−ＲＳアンテナポートの数によって異なる。前記図１４Ａ乃至図１４Ｃに示すように、ＣＳＩ−ＲＳアンテナポートの数が２つである場合に、ＮＡの値は１２となり、ＣＳＩ−ＲＳアンテナポートの数が４つである場合に、ＮＡの値は６となり、ＣＳＩ−ＲＳアンテナポートの数が８つである場合に、ＮＡの値は３となる。
【０１０４】
前記数式３を用いたＣＳＩ−ＲＳパターン決定するためには、ｅＮＢとＵＥとの間に約束がなされていなければならず、この場合に、ＵＥはｅＮＢからＣＳＩ−ＲＳアンテナポートの数だけを通報されることにより、どのようなＣＳＩ−ＲＳパターンを用いるかを決定することができる。前記方法は、任意の値のＮＡに対して適用可能であり、一般的に、ＣＳＩ−ＲＳアンテナポートの数によってＮＡの値が同じであっても適用可能である。
【０１０５】
図１５は、本発明の一実施形態により複数のセルにおいて伝送されるＣＳＩ−ＲＳが互いに干渉を発生させないようにする他の方法を示す図である。
【０１０６】
前記図１５を参照すると、前記図１５において各セルに伝送されるＣＳＩ−ＲＳは互いに異なるサブフレーム単位のタイムオフセット値をもって伝送される。各セルにおいて伝送されるＣＳＩ−ＲＳのタイムオフセットは、２種類の方法のうち一つの方法により各ｅＮＢとＵＥとの間に共有され得る。第一の方法は、ｅＮＢが事前にセル別にタイムオフセット値を決定した後、これを制御情報の形で上位層シグナリングを通じてＵＥに通報する方法である。第二の方法は、ｅＮＢとＵＥがセル別に事前に約束された方法を用いて同じタイムオフセット値を発生させる方法である。
【０１０７】
図１５において、セル１のｅＮＢは参照番号１２１０にて示すサブフレームにおいてＣＳＩ−ＲＳを伝送し、セル２のｅＮＢは参照番号１２２０にて示すサブフレームにおいてＣＳＩ−ＲＳを伝送し、セル３のｅＮＢは参照番号１２３０にて示すサブフレームにおいてＣＳＩ−ＲＳを伝送する。
【０１０８】
前記図１５に示すように、複数のセルにおいて伝送されるＣＳＩ−ＲＳが互いに異なるサブフレーム単位のタイムオフセット値をもって伝送されるようにすることは、互いに異なるセルのＣＳＩ−ＲＳが互いに干渉作業をすることを防ぐというメリットを有する。但し、ＬＴＥまたはＬＴＥ−ＡシステムにおいてＴＤＤ（Ｔｉｍｅ Ｄｉｖｉｓｉｏｎ Ｄｕｐｌｅｘ）モードである場合に、１０個のサブフレームから構成される一つのラジオフレーム内において下りリンク伝送のために用いられるサブフレームが制限的であり得る。この場合に、ＣＳＩ−ＲＳを一部の特定のサブフレームにおいてのみ伝送しなければならず、これにより、複数のセルにおいて伝送されるＣＳＩ−ＲＳをサブフレーム単位で十分に分散させることができなくなる。ＣＳＩ−ＲＳをサブフレーム単位で十分に分散できない場合に、本発明において提案するように、前記図１１の複数のＣＳＩ−ＲＳパターンを各セル別に割り当ててＣＳＩ−ＲＳを伝送することにより、複数のセルにおいて伝送されるＣＳＩ−ＲＳ間の干渉を減らすことができる。すなわち、同じサブフレームにおいて異なるセルのＣＳＩ−ＲＳ伝送が行われても、各セル別に異なるＣＳＩ−ＲＳパターンを割り当てるのである。
【０１０９】
図１６は、本発明の一実施形態により同じサブフレームにおいて異なるセルのＣＳＩ−ＲＳ伝送が行われても各セル別に異なるＣＳＩ−ＲＳパターンを割り当てる方法を示す図である。
【０１１０】
図１６において、セル１は、１３２０にて示すサブフレームにおいてＣＳＩ−ＲＳを伝送し、１３３０にて示すサブフレームにおいてはＣＳＩ−ＲＳを伝送しない。図１６において、セル１が伝送するＣＳＩ−ＲＳは参照符号１３１０のＣＳＩ−ＲＳパターンにて送信される。セル２におけるＣＳＩ−ＲＳの伝送は、１３５０にて示すサブフレームにおいて行われる、当該サブフレームはセル１においてＣＳＩ−ＲＳの伝送が行われるサブフレームと同じサブフレームであるが、参照番号１３６０のサブフレームと同じものではない。図１６において、セル２はセル１と同じサブフレームにおいてＣＳＩ−ＲＳを伝送するが、セル１がＣＳＩ−ＲＳを伝送するのに用いるＣＳＩ−ＲＳパターン（すなわち、参照符号１３１０のＣＳＩ−ＲＳパターン）とは異なるＣＳＩ−ＲＳパターン（すなわち、参照符号１３４０のＣＳＩ−ＲＳパターン）を用いることにより、ＣＳＩ−ＲＳ間の干渉を防ぐことができる。
【０１１１】
ＬＴＥ−Ａシステムにおいて、ＣＳＩ−ＲＳはＵＥが自分の属するセルの下りリンクチャンネルの状態を測定するのに用いられる。このとき、ＵＥは、一つのセルにおいて伝送されるＣＳＩ−ＲＳを受信して当該セルの下りリンクチャンネルを測定する場合もあるが、２以上のセルにおいて伝送されるＣＳＩ−ＲＳを受信して下りリンクチャンネルを測定することもできる。このように複数セルの下りリンクチャンネルの測定は、ＵＥがＣｏＭＰ（Ｃｏｏｒｄｉｎａｔｅｄ Ｍｕｌｔｉ Ｐｏｉｎｔ）により下りリンクで伝送される場合に行われ得る。ＣｏＭＰ伝送の場合に、一つのＵＥに対する送信のために複数のｅＮＢが協力する。このとき、ｅＮＢのプレコーディングは、他のｅＮＢのプレコーディングを考慮する形で行われ得、複数のｅＮＢが一つのＵＥに同時に信号を伝送する形で行われ得る。
【０１１２】
複数のｅＮＢがＵＥにＣｏＭＰ伝送を支援するためには、ＵＥは、ＣｏＭＰ伝送を行うｅＮＢのチャンネル状態を測定できる必要がある。すなわち、一つのＵＥが複数のセルのＣＳＩ−ＲＳを測定し、測定結果を当該ｅＮＢに伝送するのである。本発明は、ＣｏＭＰ伝送のための新たなＣＳＩ−ＲＳの伝送方法を提示する。本発明の実施形態において提案するＣｏＭＰ用のＣＳＩ−ＲＳの伝送方法は、時間的にＣｏＭＰ用のＣＳＩ−ＲＳとＮｏｎ−ＣｏＭＰ用のＣＳＩ−ＲＳを分けて伝送するものである。すなわち、それぞれのセルにおいて伝送されるＣＳＩ−ＲＳは、伝送されるサブフレームによってＣｏＭＰ用のＣＳＩ−ＲＳまたはＮｏｎ−ＣｏＭＰ用のＣＳＩ−ＲＳとして伝送される。
【０１１３】
図１７は、本発明の一実施形態により、セルにおいてＣｏＭＰ用のＣＳＩ−ＲＳとＮｏｎ−ＣｏＭＰ用のＣＳＩ−ＲＳを伝送する方法を示す図である。
【０１１４】
前記図１７は、第１の時間間隔にてＮｏｎ−Ｃｏｍｐ用のＣＳＩ−ＲＳまたはＣｏｍｐ用のＣＳＩ−ＲＳを伝送し、前記伝送されるＣＳＩ−ＲＳは、第２の時間区間において一回のＣｏｍｐ用のＣＳＩ−ＲＳが伝送され、残りの第１の時間間隔にてＮｏｎ−Ｃｏｍｐ用のＣＳＩ−ＲＳを伝送する。ここで、前記第１の時間は５個のサブフレームの伝送時間間隔であってもよく、第２の時間は１５個のサブフレームの伝送時間間隔であってもよい。
【０１１５】
前記図１７を参照すると、参照番号１４２０にて示すサブフレーム区間においてはＮｏｎ−ＣｏＭＰのためのＣＳＩ−ＲＳが伝送され、参照番号１４１０にて示すサブフレーム区間においてはＣｏＭＰ用のＣＳＩ−ＲＳが伝送されるとする。なお、参照番号１４３０にて示すサブフレーム区間においてはＣＳＩ−ＲＳが伝送されない。前記図１７に示す場合に、前記ＣＳＩ−ＲＳは毎５ｍｓｅｃおきに伝送されることが分かる。そして、前記図１７において、伝送されるＣＳＩ−ＲＳのうちの１５ｍｓｅｃおきにＣｏＭＰ用のＣＳＩ−ＲＳが伝送され、残りのＣＳＩ−ＲＳが伝送される区間（５ｍｓ及び１０ｍｓ区間）においてはＮｏｎ−ＣｏＭＰ用のＣＳＩ−ＲＳが伝送されることが分かる。図１７に示すように、ＣｏＭＰ用のＣＳＩ−ＲＳとＮｏｎ−ＣｏＭＰ用のＣＳＩ−ＲＳを伝送する場合には一定のＣＳＩ−ＲＳ伝送サブフレームを決定し、当該サブフレーム内においてＣｏＭＰ用のＣＳＩ−ＲＳまたはＮｏｎ−ＣｏＭＰ用のＣＳＩ−ＲＳのうちの一つを伝送する方法である。図１７にう示すように、ＣｏＭＰ用のＣＳＩ−ＲＳとＮｏｎ−ＣｏＭＰ用のＣＳＩ−ＲＳを伝送する方法は、ＣＳＩ−ＲＳに割り当てられる無線資源を一定に維持しながらＣｏＭＰ用のＣＳＩ−ＲＳとＮｏｎ−ＣｏＭＰ用のＣＳＩ−ＲＳの伝送を行うことができるというメリットがある。
【０１１６】
図１７に示すように、ＣｏＭＰ用のＣＳＩ−ＲＳとＮｏｎ−ＣｏＭＰ用のＣＳＩ−ＲＳを行うためにｅＮＢが端末に通報すべき情報は、ＣＳＩ−ＲＳ伝送周期及びＣＳＩ−ＲＳが伝送されるサブフレームにおいてＣＳＩ−ＲＳとＮｏｎ−ＣｏＭＰＣＳＩ−ＲＳを区分する方法である。
【０１１７】
図１８は、本発明の実施形態により、セルにおいてＣｏＭＰ用のＣＳＩ−ＲＳとＮｏｎ−ＣｏＭＰ用のＣＳＩ−ＲＳを伝送する他の方法を示す図である。
【０１１８】
前記図１８は、第１の時間間隔にてＮｏｎ−Ｃｏｍｐ用のＣＳＩ−ＲＳを伝送し、第２の時間間隔にてＣｏｍｐ用のＣＳＩ−ＲＳを伝送し、前記第２の時間は、前記第１の時間よりも大きな値を有する。ここで、前記第１の時間は５個のサブフレームの伝送時間間隔であってもよく、第２の時間は１５個のサブフレームの伝送時間間隔であってもよい。
【０１１９】
前記図１８を参照すると、参照番号１５２０にて示すサブフレーム区間においてはＮｏｎ−ＣｏＭＰのためのＣＳＩ−ＲＳが伝送され、参照番号１５１０にて示すサブフレーム区間においてはＣｏＭＰ用のＣＳＩ−ＲＳが伝送される。また、参照番号１５３０にて示すサブフレーム区間においてはＣＳＩ−ＲＳが伝送されない。図１８において、ＣｏＭＰ用のＣＳＩ−ＲＳとＮｏｎ−ＣｏＭＰ用のＣＳＩ−ＲＳに対する伝送区間の割り当てが別々に行われていることが分かる。すなわち、図１７に示すように、ＣＳＩ−ＲＳが伝送される区間を定め、その内においてＣｏＭＰ用のＣＳＩ−ＲＳまたはＮｏｎ−ＣｏＭＰ用のＣＳＩ−ＲＳを伝送するかを決定するのではなく、ＣｏＭＰ用のＣＳＩ−ＲＳのための伝送区間とＮｏｎ−ＣｏＭＰ用のＣＳＩ−ＲＳのための伝送区間を別々に定めている。結果的に、図１８において、ＣｏＭＰ用のＣＳＩ−ＲＳは毎１５ｍｓｅｃおきに伝送され、Ｎｏｎ−ＣｏＭＰ用のＣＳＩ−ＲＳは毎５ｍｓｅｃおきに伝送される。
【０１２０】
前記図１７及び図１８は、ＣｏＭＰ用のＣＳＩ−ＲＳとＮｏｎ−ＣｏＭＰ用のＣＳＩ−ＲＳにそれぞれ伝送時間区間を割り当てて１セル内において伝送する方法を示すものである。どのようなサブフレーム区間にどのような種類のＣＳＩ−ＲＳが伝送されるかを示すものである。これと併せて、ＣｏＭＰ用のＣＳＩ−ＲＳがどのようにして発生されるかも重要である。
【０１２１】
本発明の実施形態において提案するＣｏＭＰ用のＣＳＩ−ＲＳは、Ｎｏｎ−ＣｏＭＰ用のＣＳＩ−ＲＳと比較して、他の方式により伝送が行われる。すなわち、ｅＮＢは、一つのセルに伝送するＣＳＩ−ＲＳがＣｏＭＰ用であるか否かによって異なる信号を発生して送信する。本発明の実施形態において提示するＣｏＭＰ用のＣＳＩ−ＲＳは、Ｎｏｎ−ＣｏＭＰ用と比較して、少ない数のバーチャルアンテナポートを用いて伝送される。ここで、アンテナバーチャライゼーションとは、Ｎ個の物理的なアンテナが存在する場合に同じ送信信号を載せることにより、端末にＮ個ではなくＭ個のアンテナにおいて信号が伝送されるかのように認識させることを意味する。一例として、２つのアンテナにおいて同じ信号をそれぞれＰ１とＰ２の伝送電力にて送信すると、これを受信する端末にとっては、一つのアンテナにおいてＰ１＋Ｐ２の伝送電力にて送信するのと同様である。
【０１２２】
図１９は、本発明の実施形態において提示するＣｏＭＰ用のＣＳＩ−ＲＳとＮｏｎ−ＣｏＭＰ用のＣＳＩ−ＲＳの伝送方法を示す図である。図１９は、２つのセルにおいてＣＳＩ−ＲＳを伝送する例を示している。
【０１２３】
前記図１９を参照すると、参照番号１６２０にて示すサブフレームはセル１において伝送されるＮｏｎ−ＣｏＭＰ用のＣＳＩ−ＲＳが載るサブフレームであり、参照番号１６４０にて示すサブフレームはセル１において伝送されるＣｏＭＰ用のＣＳＩ−ＲＳが載るサブフレームであり、参照番号１６３０にて示すサブフレームはセル１において伝送されるサブフレームのうちＣＳＩ−ＲＳが載らないサブフレームである。また、図１９の参照番号１６６０にて示すサブフレームは、セル２において伝送されるＮｏｎ−ＣｏＭＰ用のＣＳＩ−ＲＳが載るサブフレームであり、参照番号１６８０にて示すサブフレームはセル２において伝送されるＣｏＭＰ用のＣＳＩ−ＲＳが載るサブフレームであり、参照番号１６９５にて示すサブフレームはセル２において伝送されるサブフレームのうちＣＳＩ−ＲＳが載らないサブフレームである。
【０１２４】
図１９において、Ｎｏｎ−ＣｏＭＰ用のＣＳＩ−ＲＳが伝送されるサブフレームにおいては、セル１とセル２においてそれぞれ参照番号１６１０及び１６７０にて示すＣＳＩ−ＲＳが伝送される。図１６の参照番号１６１０、１６７０において、Ｎｏｎ−ＣｏＭＰ用のＣＳＩ−ＲＳが伝送されるＣＳＩ−ＲＳパターンはそれぞれ図１１において定義された６個のＣＳＩ−ＲＳパターンのうちの一つである。このようにＮｏｎ−ＣｏＭＰ用のＣＳＩ−ＲＳが伝送される場合に、各セルにおいて全てのアンテナポートに対するチャンネル測定を可能にするＣＳＩ−ＲＳの伝送を行う。これに対し、図１９の参照番号１６５０及び１６９０のようにＣｏＭＰ用のＣＳＩ−ＲＳを伝送する場合に、各セルは縮小された数のアンテナポートに対するＣＳＩ−ＲＳを送信する。図１９において、参照番号１６５０及び１６９０のように伝送されるＣＳＩ−ＲＳのアンテナポート数を減らす方法は、上述したように、アンテナバーチャライゼーションを用いて行う。このようにＣｏＭＰ用のＣＳＩ−ＲＳを伝送する場合に、ＣＳＩ−ＲＳのアンテナポート数を減らすことにより、各セルにおいて伝送されるＣＳＩ−ＲＳのアンテナポート数は減るものの、各アンテナポートに載る伝送電力は増大する。すなわち、図１９の参照番号１６５０、１６９０の場合に、ＣｏＭＰ用のＣＳＩ−ＲＳはＮｏｎ−ＣｏＭＰ用のＣＳＩ−ＲＳと比較して一つのアンテナポート当たりの伝送電力が２倍となる。
【０１２５】
図１９に示すＣｏＭＰ用のＣＳＩ−ＲＳを伝送する理由は、セルエッジに位置して受信信号の状態が良くないＵＥに対する受信性能を向上させるためである。すなわち、前記セルがＣｏＭＰ用のＣＳＩ−ＲＳを伝送すると、一つのセルにおいてＵＥが測定できるアンテナポートの数を減らし、その代わりに、各アンテナポートに載る伝送電力を増大させることとなり、これにより、ＵＥは、受信性能を向上させることが可能になる。このようにセルエッジに存在するＵＥの場合に、多数のレイヤーを割り当てられて空間多重化（ｓｐａｔｉａｌ ｍｕｌｔｉｐｌｅｘｉｎｇ）により性能を改善するよりは、小数のレイヤーを割り当てられ、各レイヤーに対する受信強度を増大させた方がより有利である。図１９に示すように、ＣｏＭＰ用のＣＳＩ−ＲＳを別途に伝送し、この信号のアンテナポート数を減らさない場合に、ＵＥは、ＣｏＭＰを行うセル数に比例する数のＣＳＩ−ＲＳを受信しなければならない。すなわち、図１９の場合に、ＵＥがセル１とセル２においてＣｏＭＰにて受信されるとしたとき、当該ＵＥは合計１６個のアンテナポートに対する測定を行い、これに関するチャンネル測定情報をｅＮＢにフィードバックしなければならない。多数のレイヤーにて受信されることが有利ではないＣｏＭＰ状況において、このようにＮｏｎ−ＣｏＭＰと比べて増加されたアンテナポートに対するチャンネル測定を行い、相対的にさらに多くのチャンネル測定情報をｅＮＢに通報することは非効率的である。
【０１２６】
複数のセルにおいてＣＳＩ−ＲＳが伝送される場合に、前記図９及び図１１に示すように、複数のＣＳＩ−ＲＳパターンを設定して異なるセルのＣＳＩ−ＲＳ間の衝突を最小限に防ぐことができる。併せて、ＣＳＩ−ＲＳの受信性能を改善できる他の方法は、ミュートまたはブランキングを用いることである。ミュートとは、特定のＲＥ位置において信号を送信しないことを意味する。すなわち、セル１がＣＳＩ−ＲＳを伝送するＲＥにおいて、セル２は、ＵＥが、セル１が伝送するＣＳＩ−ＲＳの測定をより正確に行えるように当該ＲＥにおいて何らの信号も伝送しないのである。
【０１２７】
図２０は、本発明の一実施形態によりＣＳＩ−ＲＳを伝送する場合に、ミュートを適用する方法を示す図である。
【０１２８】
前記図２０は、複数のセルにおいて互いに異なるＣＳＩ−ＲＳパターンにてＣＳＩ−ＲＳを伝送し、各セルは隣り合うセルにおいて伝送するＣＳＩ−ＲＳパターンを確認してＣＳＩ−ＲＳが伝送される区間の資源をミュートする。
【０１２９】
前記図２０を参照すると、セル１において前記図１１のＣＳＩ−ＲＳパターンＡを伝送し、隣り合うセル２において図１１のＣＳＩ−ＲＳパターンＣにて伝送するとする。この場合に、セル１のＣＳＩ−ＲＳパターンは、図２０の参照番号１７１０、１７３０、１７６０の通りである。セル１のＣＳＩ−ＲＳアンテナポートの数に応じて当該アンテナポートのＲＥ位置においてＣＳＩ−ＲＳの伝送が行われるのである。この場合に、セル２において図１１のＣＳＩ−ＲＳパターンＣにてＣＳＩ−ＲＳ伝送が行われる場合に、セル１において伝送される信号はセル２のＣＳＩ−ＲＳアンテナポート数に応じてミュートを行う。すなわち、セル２のＣＳＩ−ＲＳアンテナポート数が２つである場合に、セル１は、セル２がＣＳＩ−ＲＳを伝送する参照番号１７２０においてミュートを行って、セル２のＣＳＩ−ＲＳに対するチャンネル測定を支援する。また、セル２において伝送するＣＳＩ−ＲＳのアンテナポートが４個である場合に、セル１の信号は参照番号１７４０、１７５０のようにミュートされる。セル２において伝送するＣＳＩ−ＲＳアンテナポートが８個である場合に、セル１において伝送される信号は参照番号１７７０、１７８０のようにミュートされる。
【０１３０】
図２１は、本発明の一実施形態により、ＣＳＩ−ＲＳを伝送するときにセル２のミュート区間を示す図である。
【０１３１】
前記図２１を参照すると、セル１がＣＳＩ−ＲＳ伝送を行ない、セル２のＣＳＩ−ＲＳに対する測定を支援するために、前記図２０に示すようにミュートを行う。この場合に、セル２においても同様に、図２１に示すようにＣＳＩ−ＲＳを伝送し、セル１のＣＳＩ−ＲＳに対する測定を支援するためにミュートを行う。ここで、参照番号１８１０、１８２０、１８３０、１８４０、１８５０、１８６０及び１８７０は、図２０の参照番号１７１０、１７２０、１７３０、１７４０、１７５０、１７６０及び１７７０とほとんど同様であり、このため、明確な説明のために詳細な説明は省く。前記図２０及び図２１に示すように、複数のセルはＣＳＩ−ＲＳ伝送を行い、ＵＥのＣＳＩ−ＲＳに対するチャンネル推定を支援するために相手方セルがＣＳＩ−ＲＳを伝送するＲＥにおいてミュートを適用することができる。このとき、上述したミュートを適用するためには、各セルはＣＳＩ−ＲＳパターンを共有しなければならない。すなわち、図２０に示すように、ＣＳＩ−ＲＳを特定のセルに伝送するｅＮＢは、ミュートを行うために、図２１に示すように、ＣＳＩ−ＲＳを伝送するｅＮＢのＣＳＩ−ＲＳパターンに関する情報と、いくつのアンテナポートに対するＣＳＩ−ＲＳ伝送が行われるかを知る必要がある。すなわち、図１７及び図２１に示すように、ミュートを適用する場合に、関連セルは互いに対するＣＳＩ−ＲＳパターンとＣＳＩ−ＲＳアンテナポート数に関する情報を共有しなければならない。
【０１３２】
図２０及び図２１は、ミュートが、ＣＳＩ−ＲＳが存在するサブフレームにおいて行われる場合を示すものである。しかしながら、ミュートは、ＣＳＩ−ＲＳが存在しないサブフレームにおいても同様に行われ得る。また、ミュートは、異なるセルに対するＣＳＩ−ＲＳが存在するサブフレームにおいていつも適用されるわけではなく、その一部においてのみ適用されてもよい。
【０１３３】
図２２は、本発明の一実施形態により、複数のセルにおいて伝送されるＣＳＩ−ＲＳは互いに異なるサブフレームオフセットにて伝送される場合に、本発明の実施形態によりミュートを行う例を示す図である。
【０１３４】
前記図２２を参照すると、図２２は、２つのセルにおいてＣＳＩ−ＲＳが伝送されており、各セルにおいて伝送されるＣＳＩ−ＲＳは互いに異なるサブフレームオフセットにて伝送されている。２つのセルにはそれぞれ、互いのＣＳＩ−ＲＳが伝送されることに合わせてミュートが定義される。すなわち、図２２において、セル１の場合に、参照番号１９１５にて示すサブフレームにおいて、参照番号１９３０にて示すようにミュートが適用される。図２２において、セル１に伝送される信号に１９１５においてミュートを適用した理由は、セル２に伝送される参照番号１９６５のＣＳＩ−ＲＳの測定を支援するためである。
【０１３５】
図２２において、ミュートの適用が相手方セルにおいてＣＳＩ−ＲＳが伝送されるサブフレームにおいていつも起こるわけではなく、その一部においてのみ起こることが分かる。このようにミュートを部分的に適用することは、ミュートを行うことにより発生可能なデータ信号の性能低下を減らすためである。図２２においては、ＣＳＩ−ＲＳは５サブフレームごとに発生し、ミュートはそれよりも長い周期である２０サブフレームごとに発生することを観察することができる。図２２に示すように、ＣＳＩ−ＲＳを適用するためには、相手方セルにおいて伝送するＣＳＩ−ＲＳのサブフレームオフセットとＣＳＩ−ＲＳの伝送周期を判断する必要がある。
【０１３６】
図２０、図２１、図２２において、ミュートは、ＣＳＩ−ＲＳが全てのＰＲＢにおいて伝送されるという想定下で行われている。しかしながら、ＣＳＩ−ＲＳが一部のＰＲＢにおいて伝送される場合にも同様に適用可能である。
【０１３７】
図２３は、本発明の一実施形態によりＣＳＩ−ＲＳが一部のＰＲＢにおいてのみ伝送される場合に、２つのセルにおいてミュートを行うことを示す図である。前記図２３を参照すると、セル１がＣＳＩ−ＲＳを伝送する参照符号２０１０において、セル２は参照符号２０２０のようにミュートを適用し、セル２がＣＳＩ−ＲＳを伝送する参照符号２０４０において、セル２は参照符号２０３０のようにミュートを適用することが分かる。
【０１３８】
図２４は、本発明の一実施形態により、ＵＥが、図９または図１１に示すように、複数のＣＳＩ−ＲＳパターンが定義された移動通信システムにおいてＣＳＩ−ＲＳを受信する方法を示す図である。
【０１３９】
前記図２４を参照すると、ＵＥは、ステップ２１０５において、当該セルに対する伝送を行うｅＮＢのセルＩＤを判断し、ステップ２１１０において、前記ＣＲＳ位置及びスクランブルを確認してＣＳＩ−ＲＳ伝送などに関するシステム情報を受信する。ここで、前記セルＩＤは、ＣＲＳの位置及びスクランブルに関する情報を判断するのに用いられ、前記ＣＲＳに関する情報を得たＵＥは、当該セルのシステム情報を受信することが可能になる。そして、ステップ２１１０において受信されるシステム情報には、ＣＳＩ−ＲＳに関する制御情報も含まれる。前記ＵＥは、前記ステップ２１１０において、ｅＮＢから直接的な制御情報を受信する形でＣＳＩ−ＲＳに関する制御情報を把握する。これとは別に、図９及び図１１において説明されたように、特定のセルにおいてＣＳＩ−ＲＳを伝送するのに用いられるＣＳＩ−ＲＳパターンがセルＩＤの関数である場合に、ＵＥは、当該ｅＮＢのセルＩＤを判断することにより、ＣＳＩ−ＲＳの位置及びスクランブルなどＣＳＩ−ＲＳ伝送に関するシステム情報を得ることもできる。
【０１４０】
次いで、前記ＵＥは、サブフレームを受信して処理する。このとき、前記サブフレームが受信されると、前記ＵＥは、ステップ２１２５において、前記ステップ２１１０において受信された情報を基に、受信されたサブフレームがＣＳＩ−ＲＳが伝送されるサブフレームであるかを判断する。前記ステップ２１２５において、ＣＳＩ−ＲＳが伝送されるサブフレームであると判断される場合に、前記ＵＥは、ステップ２１３０において、ＣＳＩ−ＲＳを用いて下りリンクチャンネル状態を測定する。そして、前記ＵＥは、ステップ２１３５において、前記受信されたサブフレームに自分のためのＰＤＳＣＨ（Ｐｈｙｓｉｃａｌ Ｄｏｗｎｌｉｎｋ Ｓｈａｒｅｄ Ｃｈａｎｎｅｌ；トラフィックチャンネル）があるかを判断する。前記ステップ２１３５において、自分のためのＰＤＳＣＨがあれば、前記ＵＥは、ステップ２１４０において、自分のためのＰＤＳＣＨが伝送された周波数資源、すなわち、ＰＲＢにＣＳＩ−ＲＳが存在するかを判断する。もし、前記ステップ２１４０において、ＰＤＳＣＨ伝送のために割り当てられたＰＲＢにＣＳＩ−ＲＳが存在すると判断される場合に、前記ＵＥは、ステップ２１４５において割り当てられたＰＲＢにＣＳＩ−ＲＳが存在することを鑑みて、ＰＤＳＣＨに対する受信動作を行い、ステップ２１１５に移行して次のサブフレームを待つ。
【０１４１】
しかしながら、前記ステップ２１３５において、自分のためのＰＤＳＣＨ伝送が行われていないと判断される場合に、前記ＵＥは、ステップ２１１５に移行して、次のサブフレームを待つ。また、前記ステップ２１４０において、自分のためのＰＤＳＣＨ伝送が行われたものの、割り当てられたＰＲＢにＣＳＩ−ＲＳが存在しないと判断される場合に（すなわち、ＣＳＩ−ＲＳが含まれていないサブフレームが受信された場合に）、前記ＵＥは、ステップ２１５５において割り当てられたＰＲＢにＣＳＩ−ＲＳが存在しないことを考慮して、ＰＤＳＣＨに対する受信動作を行い、ステップ２１２０に移行して、次のサブフレームを待つ。さらに、前記ステップ２１２５において、当該サブフレームにＣＳＩ−ＲＳが伝送されないと判断される場合に、前記ＵＥは、ステップ２１５０において、自分のためのＰＤＳＣＨが伝送されたかを判断し、伝送された場合に、ステップ２１５５においてＰＤＳＣＨに対する受信動作を行った後、ステップ２１２０に移行し、次のサブフレームを待つ。そして、前記ステップ２１５０においてＰＤＳＣＨが受信されなかった場合に、ステップ２１２０に移行して次のサブフレームを待つ。
【０１４２】
図２５は、本発明の一実施形態により、ＵＥが図９または図１１に示すように、複数のＣＳＩ−ＲＳパターンが定義された移動通信システムにおいてＣＳＩ−ＲＳを受信し、上述したミュートに対応する方法を示す図である。
【０１４３】
前記図２５を参照すると、ＵＥは、ステップ２２０５において、当該セルに対する伝送を行うｅＮＢのセルＩＤを判断し、ステップ２２１０において、前記ＣＲＳ位置及びスクランブルを確認してＣＳＩ−ＲＳ伝送などに関するシステム情報を受信する。ここで、前記セルＩＤは、ＣＲＳの位置及びスクランブルに関する情報を判断するのに用いられ、ＣＲＳに関する情報を得たＵＥは、当該セルのシステム情報を受信することが可能になる。また、前記ステップ２２１０において受信されるシステム情報には、ＣＳＩ−ＲＳに関する制御情報も含まれる。前記ＵＥは、ステップ２２１０において、ｅＮＢから直接的な制御情報信号を受け取ることにより、ＣＳＩ−ＲＳに関する制御情報を把握する。ＵＥがｅＮＢから受け取った制御情報は、自分が属するセルのＣＳＩ−ＲＳに関する情報に加えて、当該ｅＮＢがどのような位置においてミュートを行うかに関する情報を含む。上述したようにミュートを行う方法としては、下記の２種類の方法が挙げられる。その一つの方法は、ｅＮＢが直接的にどの位置においてミュートを行うかについて具体的なミュート位置をＵＥに通報することである。もう一つの方法は、ｅＮＢがどのようなＣＳＩ−ＲＳパターンに対してミュートを行うかをＵＥに通報することである。ｅＮＢとＵＥとの間に事前に定義された複数のＣＳＩ−ＲＳパターンが存在する場合に、ｅＮＢは、ＵＥに、どのようなＣＳＩ−ＲＳパターンに合わせてミュートを行うかを通報すればよい。この場合に、ｅＮＢがＵＥに通報するミュート制御情報には、当該ＣＳＩ−ＲＳパターン情報、ミュートするアンテナ数の情報、ミュートの周期、ミュートのサブフレームオフセットなども含まれる。
【０１４４】
前記ステップ２２１０において、上述したようにしてミュート制御情報を確認したＵＥは、ステップ２２２５において、当該サブフレームがミュートが適用されるサブフレームであるかを判断する。ミュートが適用されるサブフレームであれば、前記ＵＥは、ステップ２２３０において、当該サブフレームにおいて自分にＰＤＳＣＨが伝送されたかを判断する。そして、前記ステップ２２３０においてＰＤＳＣＨを受信すると、前記ＵＥは、ステップ２２３５において割り当てられたＰＲＢにミュートされた部分が存在するかを判断する。ここで、前記ＵＥは、ミュートの有無の判断に際して、前記ミュート制御情報を用いる。このとき、前記割り当てられたＰＲＢにミュートされた部分がなければ、前記ＵＥは、ステップ２２５０において割り当てられたＰＲＢにミュートされた部分がないことを考慮して、ＰＤＳＣＨに対する受信動作を行う。これに対し、前記ステップ２２３５において割り当てられたＰＲＢにミュートされた部分が存在すると、前記ＵＥは、ステップ２２４０において割り当てられたＰＲＢにミュートされた部分が存在することを考慮して、ＰＤＳＣＨに対する受信動作を行う。すなわち、前記ＵＥは、前記ステップ２２４０においてミュートされた部分がどのような部分であるかを把握し、当該部分において何らの信号も受信されなかったという想定下で受信動作を行う。前記ステップ２２４０を行った後、前記ＵＥは、ステップ２２１５に移行して、次のサブフレームを待つ。同様に、ステップ２２５０を行った後、前記ＵＥは、ステップ２２２０に移行して、次のサブフレームを待つ。ステップ２２２５において、サブフレームがミュート未適用のサブフレームであると判断された場合に、前記ＵＥは、前記サブフレームが自分にＰＤＳＣＨを伝送するか否かを判断する。サブフレームが自分にＰＤＳＣＨを伝送する場合に、ステップ２２５０に移行し、そうではない場合に、ステップ２２２０に移行する。ステップ２２３０において、サブフレームがＰＤＳＣＨを伝送しなかった場合に、ステップ２２１５に移行する。
【０１４５】
図２６は、本発明の実施形態によるｅＮＢがＣＳＩ−ＲＳ伝送とミュートを適用する過程を示す図である。
【０１４６】
前記図２６を参照すると、ｅＮＢは、ステップ２３０５において、周りのｅＮＢとＣＳＩ−ＲＳ伝送に関わる情報をやり取る。前記ステップ２３０５において、情報のやり取り及びセル別のＣＳＩ−ＲＳ伝送に対する協力も行われ得る。ここで、前記ＣＳＩ−ＲＳ伝送に対する協力とは、前記図９または図１１のように定義された複数のＣＳＩ−ＲＳパターンを各セルに適切に分散してＣＳＩ−ＲＳを伝送することを意味する。前記ステップ２３０５を行った後、前記ｅＮＢは、ステップ２３１０において、前記ＣＳＩ−ＲＳ伝送に関わる情報を用いて下りリンク伝送時にミュートを行う位置を決定する。すなわち、前記ｅＮＢは、ミュートの周期、時間及び周波数空間における位置などを判断することにより、具体的にどのようにミュートを適用するかを決定する。次いで、前記ｅＮＢは、ステップ２３２０において、ＣＳＩ−ＲＳ及びミュートに関する制御情報をＵＥに通報する。このとき、前記ＣＳＩ−ＲＳ及びミュートに関する制御情報は、システム情報の形で伝送することができる。前記ＵＥにＣＳＩ−ＲＳ及びミュートに関する情報を受け渡した後、前記ｅＮＢは、ステップ２３３０において、サブフレームごとにＣＳＩ−ＲＳに対する伝送を行うかを判断する。
【０１４７】
このとき、前記ＣＳＩ−ＲＳを伝送すると判断されれば、前記ｅＮＢは、ステップ２３３５において、ＣＳＩ−ＲＳに対する伝送を行う。また、前記ｅＮＢは、ステップ２３４０において、ミュートを適用するサブフレームであるかを判断し、ミュートを適用するサブフレームであると判断された場合に、ステップ２３４５においてミュートを適用した下りリンク伝送を行う。すなわち、前記ｅＮＢは、隣り合うセルに対するＣＳＩ−ＲＳパターンとＣＳＩ−ＲＳアンテナポート数情報を共有する。そして、自分がサブフレームを伝送する時点においてＣＳＩ−ＲＳパターンを分析してＣＳＩ−ＲＳを伝送するサブフレームであるかを検査し、ＣＳＩ−ＲＳの伝送時点であれば、ＣＳＩ−ＲＳパターンに応じてＣＳＩ−ＲＳを含むサブフレームデータを伝送する。また、隣り合うセルのＣＳＩ−ＲＳの伝送時点であれば、前記ｅＮＢは、隣り合うセルのＣＳＩ−ＲＳパターンのＣＳＩ−ＲＳアンテナポート数に見合う分のＲＥをミュートしたサブフレームデータを伝送する。次いで、前記ｅＮＢは、ステップ２３２５において、次のサブフレームを待ち、次のサブフレームである場合に、ステップ２３３０に戻る。これにより、このような動作は、毎サブフレームごとに繰り返し行われる。
【０１４８】
図２７は、本発明の実施形態によるｅＮＢがＮｏｎ−ＣｏＭＰ用のＣＳＩ−ＲＳとＣｏＭＰ用のＣＳＩ−ＲＳを伝送する方法を示す図である。
【０１４９】
前記図２７を参照すると、ｅＮＢは、ステップ２４０５において、同じＣｏＭＰセットに含まれているセルを判断する。前記ＣｏＭＰセットは、ＣｏＭＰの伝送のために協力する複数のセルの集合を意味する。前記ステップ２４０５において、ＣｏＭＰが決定されると、前記ｅＮＢは、ステップ２４１０において、ＣｏＭＰ用のＣＳＩ−ＲＳ伝送に関する制御情報をＣｏＭＰセットに含まれているセルに対する送信を行うｅＮＢと共有する。このとき、共有される情報は、前記図１９に示すように、ＣｏＭＰ用のＣＳＩ−ＲＳを伝送する場合に、各セルに対するＣｏＭＰ用のＣＳＩ−ＲＳがどのようなＣＳＩ−ＲＳパターンを用いて伝送されるか、どのようなアンテナポートに対する伝送を行うか、どのようなスクランブルを用いるかなどの情報を含むことができる。次いで、前記ｅＮＢは、ステップ２４１５において、前記ＣｏＭＰ用のＣＳＩ−ＲＳとＮｏｎ−ＣｏＭＰ用のＣＳＩ−ＲＳに関する情報をＵＥに通報する。
【０１５０】
次いで、ｅＮＢは、ステップ２４２５において、ＣＳＩ−ＲＳ伝送を行うサブフレームであるかを判断する。前記ステップ２４２５において、ＣＳＩ−ＲＳ伝送を行うサブフレームであると判断される場合に、前記ｅＮＢは、ステップ２４３０において、ＣｏＭＰ用のＣＳＩ−ＲＳを伝送するサブフレームであるかを判断する。前記ステップ２４３０において、ＣｏＭＰ用のＣＳＩ−ＲＳを伝送するサブフレームであると判断されれば、前記ｅＮＢは、ステップ２４４０において、ＣｏＭＰ用のＣＳＩ−ＲＳを伝送し、そうでなければ、前記ｅＮＢは、ステップ２４３５において、Ｎｏｎ−ＣｏＭＰ用のＣＳＩ−ＲＳを伝送する。そして、前記ステップ２４２５において、ＣＳＩ−ＲＳを判断するサブフレームではないと判断されるか、あるいは、ステップ２４４０またはステップ２４３５においてＣＳＩ−ＲＳの伝送を終えた場合に、ｅＮＢは、ステップ２４２０に移行して、次のサブフレームを待つ。次いで、ステップ２４２５に戻る。
【０１５１】
上述したように、ｅＮＢは、サブフレームの伝送時点においてＣＳＩ−ＲＳを伝送するサブフレームであれば、ＣＯＭＰ用のＣＳＩ−ＲＳを伝送するサブフレームであるかを検査する。このとき、ＣＯＭＰ用のＣＳＩ−ＲＳを伝送するサブフレームであれば、前記ＣＯＭＰ用のＣＳＩ−ＲＳを伝送し、そうではなければ、Ｎｏｎ−ＣＯＭＰ用のＣＳＩ−ＲＳを伝送する。このとき、前記前記ＣｏＭＰ用のＣＳＩ−ＲＳは、端末において複数セルの下りリンクチャンネルを測定できるように複数のセルがＵＥに伝送するＣＳＩ−ＲＳであり、前記ＣＯＭＰセットは、ＣＯＭＰ用のＣＳＩ−ＲＳを伝送するために協力する複数のセル集合を意味する。このとき、前記ｅＮＢは、前記ＣＳＩ−ＲＳを伝送するとき、第１の時間周期のサブフレームにおいてＣＳＩ−ＲＳを伝送し、前記伝送されるＣＳＩ−ＲＳは、第２の時間周期のサブフレームにおいてＣｏｍｐ用のＣＳＩ−ＲＳを伝送し、残りの第１の時間周期のサブフレームにおいてＮｏｎ−Ｃｏｍｐ用のＣＳＩ−ＲＳを伝送することができ、このとき、前記第２の時間は、前記第１の時間の整数倍の大きさを有することができる。さらに、前記ｅＮＢは、前記ＣＳＩ−ＲＳを伝送するときに、第１の時間周期のサブフレームにおいてＮｏｎ−Ｃｏｍｐ用のＣＳＩ−ＲＳ伝送し、第２の時間周期のサブフレームにおいてＣｏｍｐ用のＣＳＩ−ＲＳを伝送することができ、前記第２の時間は、前記第１の時間の整数倍の大きさを有し、Ｎｏｎ−Ｃｏｍｐ用のＣＳＩ−ＲＳ及びＣｏｍｐ用のＣＳＩ−ＲＳを伝送するサブフレームは互いに重ならない。ここで、前記ＣｏＭＰ用のＣＳＩ−ＲＳは、Ｎｏｎ−ＣｏＭＰ用と比較して、小数のバーチャルアンテナポートを用い、前記第１の時間は、５個のサブフレームの伝送時間間隔になり得る。
【０１５２】
図２８は、本発明の実施形態によるＮｏｎ−ＣｏＭＰ用のＣＳＩ−ＲＳ及びＣｏＭＰ用のＣＳＩ−ＲＳをＵＥが受信する方法を示す図である。
【０１５３】
前記図２８を参照すると、ＵＥは、ステップ２５０５において、当該セルに対する伝送を行うｅＮＢのセルＩＤを判断する。前記セルＩＤは、前記ＵＥが、ステップ２５１０においてＣＲＳの位置及びスクランブルに関する情報を判断するのに用い、ＣＲＳに関する情報を得たＵＥは、当該セルのシステム情報を受信することが可能になる。前記ＵＥは、ステップ２５１０において、ＣＲＳ位置及びスクランブルを確認してＣｏＭＰＣＲＩ−ＲＳ及びＮｏｎ−ＣｏＭＰＣＳＩ−ＲＳに関する情報を受信する。当該セルのシステム情報は、ＣｏＭＰ用のＣＳＩ−ＲＳとＮｏｎ−ＣｏＭＰ用のＣＳＩ−ＲＳを受信するのに必要な制御情報を含む。すると、前記ＵＥは、前記ステップ２５１０において把握されたＣｏＭＰ用のＣＳＩ−ＲＳとＮｏｎ−ＣｏＭＰ用のＣＳＩ−ＲＳに関する情報を用いて、ステップ２５２０において当該サブフレームにＣｏＭＰ用のＣＳＩ−ＲＳまたはＮｏｎ−ＣｏＭＰ用のＣＳＩ−ＲＳが伝送されるかを判断することができる。前記ステップ２５２０において、ＣｏＭＰ用のＣＳＩ−ＲＳまたはＮｏｎ−ＣｏＭＰ用のＣＳＩ−ＲＳが伝送されると判断されれば、前記ＵＥは、ステップ２５２５において、当該サブフレームにおいて伝送されるＣＳＩ−ＲＳがＣｏＭＰ用のＣＳＩ−ＲＳであるか、Ｎｏｎ−ＣｏＭＰ用のＣＳＩ−ＲＳであるかを判断する。ＣｏＭＰ用のＣＳＩ−ＲＳであると判断される場合に、前記ＵＥは、ステップ２５３０において、各セル別のスクランブルシーケンス、アンテナポートなどを確認してＣｏＭＰチャンネルを測定する。このとき、測定されたＣｏＭＰチャンネルは、前記ＵＥがステップ２５３５においてＣｏＭＰ用のチャンネル状態情報を生成してｅＮＢに受け渡すのに用いられる。また、前記ステップ２５２５において、Ｎｏｎ−ＣｏＭＰ用のＣＳＩ−ＲＳであると判断される場合に、前記ＵＥは、ステップ２５４０において、当該セルが伝送するＣＳＩ−ＲＳパターン、アンテナポート、スクランブルに応じてＣＳＩ−ＲＳを用いて当該セルのチャンネル状態を測定する。このとき、測定されたチャンネルは、前記ＵＥがステップ２５４５においてチャンネル状態情報を生成してｅＮＢに受け渡すのに用いられる。ステップ２５３５またはステップ２５４５後及びステップ２５２０において、ＣＳＩ−ＲＳを伝送しないと判断する場合に、ＵＥはステップ２５１５に移行して、次のサブフレームを待つ。次いで、ステップ２５２０に戻る。これにより、前記ＵＥは、このような動作は毎サブフレームごとに繰り返し行う。
【０１５４】
上述したように、本発明の実施形態によるＣＳＩ−ＲＳの処理方法は、ｅＮＢが伝送するアンテナポート別のＣＳＩ−ＲＳを互いに異なるＰＲＢにおいて交差させて伝送することにより、ｅＮＢの全てのアンテナポートの伝送電力を効率的に活用することができる。また、本発明の実施形態によるＣＳＩ−ＲＳパターンは、セル間のＣＳＩ−ＲＳが伝送される位置が重なることを最大限に防ぐために、それぞれ互いに異なるセルに時間及び周波数上において互いに異なる資源を用いるように割り当てることにより、信号干渉を抑えることができ、Ｎｏｎ−Ｃｏｍｐ用のＣＳＩ−ＲＳまたはＣｏｍｐ用のＣＳＩ−ＲＳの伝送を設定された時間において効率的に伝送することができ、複数の基地局においてＣＳＩ−ＲＳを伝送するときに隣り合う基地局において伝送される領域の区間をミュートさせて端末が効率的にチャンネル測定を行うことができる。
【０１５５】
本明細書及び図面に示す本発明の実施形態は、本発明が属する技術分野において通常の知識を持った者は、本発明の請求項及びその均等物に定義された実施形態を本発明の範囲と思想を逸脱しない範囲において様々に変形または変更可能である。
【符号の説明】
【０１５６】
３３５、３３６  参照番号
３４０〜３５１  サブフレーム
【図１】
0005985696.tif 000006
【図２】
0005985696.tif 000007
【図３】
0005985696.tif 000008
【図４】
0005985696.tif 000009
【図５】
0005985696.tif 000010
【図６】
0005985696.tif 000011
【図７】
0005985696.tif 000012
【図８】
0005985696.tif 000013
【図９】
0005985696.tif 000014
【図１０】
0005985696.tif 000015
【図１１】
0005985696.tif 000016
【図１２】
0005985696.tif 000017
【図１３】
0005985696.tif 000018
【図１４Ａ】
0005985696.tif 000019
【図１４Ｂ】
0005985696.tif 000020
【図１４Ｃ】
0005985696.tif 000021
【図１５】
0005985696.tif 000022
【図１６】
0005985696.tif 000023
【図１７】
0005985696.tif 000024
【図１８】
0005985696.tif 000025
【図１９】
0005985696.tif 000026
【図２０】
0005985696.tif 000027
【図２１】
0005985696.tif 000028
【図２２】
0005985696.tif 000029
【図２３】
0005985696.tif 000030
【図２４】
0005985696.tif 000031
【図２５】
0005985696.tif 000032
【図２６】
0005985696.tif 000033
【図２７】
0005985696.tif 000034
【図２８】
0005985696.tif 000035